(57)【要約】【課題】ファン組立体、および、ファン組立体のためのノズルを提供する。【解決手段】空気流を発生させるためのモータ駆動羽根車と、第１の空気出口を含むノズルと、を含むファン組立体が提供される。ノズルは、ボアを構成し、ファン組立体の外側からの空気は、前記ボアを通して、前記第１の出口から放出される空気流の任意の部分によって引き込まれ、前記ボアは、前記第１の空気出口から放出される空気流と組み合わさって、増幅空気流を生成する。ファン組立体は、第２の空気出口をさらに含み、前記第２の空気出口は、該第２の空気出口から放出される空気流の任意の部分が、前記ノズルによって構成される前記ボアを通して空気を引き込まず、それによって、非増幅空気流を生成するように構成されている。【選択図】図３
2019100341.tif 000002
【特許請求の範囲】
【請求項１】
ファン組立体であって、該ファン組立体は、空気流を発生させるためのモータ駆動羽根車と、
第１の空気出口を含むノズルと、を含み、前記ノズルは、ボアを構成し、ファン組立体の外側からの空気は、前記ボアを通して、前記第１の空気出口から放出される空気流の任意の部分によって引き込まれ、前記第１の空気出口から放出される空気流と組み合わさって、増幅空気流を生成し、
前記ファン組立体は、第２の空気出口をさらに含み、前記第２の空気出口は、該第２の空気出口から放出される空気流の任意の部分が、前記ノズルによって構成される前記ボアを通して空気を引き込まず、それによって、非増幅空気流を生成するように構成されている、ファン組立体。
【請求項２】
前記第２の空気出口は、前記非増幅空気流がファン組立体から離れる方に開出するように、該第２の空気出口から放出される前記空気流の任意の部分を差し向けるように構成されている、請求項１に記載のファン組立体。
【請求項３】
前記ノズルが、前記第２の空気出口を含む、請求項１または２に記載のファン組立体。
【請求項４】
前記第２の空気出口は、前記ノズルによって構成された前記ボアの中心軸線から離れる方に開出するように、該第２の空気出口から放出される空気流の任意の部分を差し向けるように構成されている、請求項３に記載のファン組立体。
【請求項５】
前記第２の空気出口は、前記ノズルによって構成された前記ボアの前記中心軸線から離れる方に実質的に垂直に該第２の空気出口から放出される空気流の任意の部分を差し向けるように構成されている、請求項４に記載のファン組立体。
【請求項６】
前記第２の空気出口は、前記ノズルによって構成された前記ボアの中心軸線と実質的に垂直である方向に向いている前記ノズルの外面の少なくとも一部のまわりに延びている、請求項４に記載のファン組立体。
【請求項７】
前記第１の空気出口は、前記ノズルによって構成された前記ボアの中心軸線と実質的に平行に放出される空気流を差し向けるように構成されている、請求項１〜６のいずれか１項に記載のファン組立体。
【請求項８】
弁をさらに含み、該弁は、該弁の弁部材の位置に応じて前記第１の空気出口および前記第２の空気出口の一方または両方に空気流を差し向けるように構成されている、請求項１〜７のいずれか１項に記載のファン組立体。
【請求項９】
前記弁部材は、該弁部材が、前記第１の空気出口に空気流を差し向け、前記第２の空気出口に到達しないように空気流を閉塞する第１の端位置と、該弁部材が、前記第２の空気出口に空気流を差し向け、前記第１の空気出口に到達しないように空気流を閉塞する第２の端位置との間で移動可能であるように構成されている、請求項８に記載のファン組立体。
【請求項１０】
前記弁部材は、前記第１の端位置と前記第２の端位置の間に位置するときに、該弁部材が、前記第１の空気出口に空気流の第１の部分を差し向け、前記第２の空気出口に空気流の第２の部分を差し向けるように構成されている、請求項９に記載のファン組立体。
【請求項１１】
前記ノズルは、前記第１の空気出口、前記第２の空気出口、および、前記第１の空気出口および前記第２の空気出口の両方に前記空気出口を運ぶための内部通路を含み、前記弁は、前記ノズルの前記内部通路内に設けられている、請求項８〜１０のいずれか１項に記載のファン組立体。
【請求項１２】
前記内部通路は、第１の空気流チャンネルおよび第２の空気流チャンネル内に設けられており、前記第１の空気流チャンネルは、前記第１の空気出口に向けて前記空気流を差し向けるように構成されており、前記第２の空気流チャンネルは、前記第２の空気出口に向けて前記空気流を差し向けるように構成されている、請求項１１に記載のファン組立体。
【請求項１３】
前記第１の端位置において、前記弁部材は、前記内部通路の残りの部分から前記第２の空気流チャンネルを閉塞するように構成されており、前記第２の端位置において、前記弁部材は、前記内部通路の残りの部分から前記第１の空気流チャンネルを閉塞するように構成されている、請求項１１または１２に記載のファン組立体。
【請求項１４】
バッフルが、前記内部通路内に設けられており、前記バッフルは、前記内部通路内で前記第１の空気流チャンネルおよび前記第２の空気流チャンネルの少なくとも一方を閉塞するように構成されている、請求項１２または１３に記載のファン組立体。
【請求項１５】
前記版部材は、前記第１の端位置および前記第２の端位置の一方で前記バッフルに当接し、それによって、前記内部通路の残りの部分から前記第１の空気流チャンネルまたは前記第２の空気流チャンネルのいずれかを閉塞するように構成されている、請求項１４に記載のファン組立体。
【請求項１６】
前記第１の空気出口および前記第２の空気出口の一方または両方に空気流を差し向けるべく前記弁部材の移動を生じさせるように構成された弁駆動体をさらに含む、請求項８〜１５のいずれか１項に記載のファン組立体。
【請求項１７】
前記弁駆動体は、ラックの移動を生じさせるように構成されており、前記ラックは、該ラックの移動が前記弁部材の移動を生じさせるような前記弁部材とのリンク機構を備える、請求項１６に記載のファン組立体。
【請求項１８】
前記ラックと前記弁部材の間の前記リンク機構は、カムが前記ラックおよび前記弁部材の一方に設けられ、フォロワが前記ラックおよび前記弁部材の他方に設けられたカム-フォロワ対によって提供される、請求項１７に記載のファン組立体。
【請求項１９】
前記弁部材は、弁アクチュエータの移動を生じさせるように構成されており、前記弁アクチュエータは、該弁アクチュエータの移動が前記弁部材の移動を生じさせるような弁部材とのリンク機構を備える、請求項１６に記載のファン組立体。
【請求項２０】
前記弁アクチュエータと前記弁部材との間の前記リンク機構は、カム前記弁アクチュエータおよび前記弁部材の一方に設けられ、フォロワが前記弁アクチュエータおよび前記弁部材の他方に設けられたカム-フォロワ対によって提供される、請求項１９に記載のファン組立体。
【請求項２１】
前記弁駆動体は、ラックの移動を生じさせるように構成されており、前記ラックは、該ラックの移動が前記弁アクチュエータの移動を生じさせるように前記弁アクチュエータに連結されている、請求項１９および２０のいずれか１項に記載のファン組立体。
【請求項２２】
前記ラックは、前記内部通路の整合した部分の形状に対応する円弧の形状を有し、前記弁駆動体は、前記ラックの円運動を生じさせるように構成されている、請求項１７、１８、および、２１のいずれか１項に記載のファン組立体。
【請求項２３】
第１の弁アクチュエータが、前記円弧状ラックの第１の端に連結されており、第２の弁アクチュエータが、前記円弧状ラックの第２の端に連結されている、請求項２２に記載のファン組立体。
【請求項２４】
第１の弁部材に前記第１の弁アクチュエータをリンク結合するカム-フォロワ対のカムが、第２の弁部材に前記第２の弁アクチュエータをリンク結合するカム-フォロワ対のカムと対向する配向を有する、請求項２３に記載のファン組立体。
【請求項２５】
ファン組立体のためのノズルであって、該ノズルは、
前記ファン組立体から空気流を受け入れるための空気入口と、
第１の空気出口と、
第２の空気出口と、を含み、
前記ノズルは、ボアを構成し、ファン組立体の外側からの空気は、前記ボアを通して、前記第１の出口から放出される空気流の任意の部分によって引き込まれ、前記ボアは、前記第１の空気出口から放出される空気流と組み合わさって、増幅空気流を生成し、
前記第２の空気出口は、該第２の空気出口から放出される空気流の任意の部分が、前記ノズルによって構成される前記ボアを通して空気を引き込まず、それによって、非増幅空気流を生成するように構成されている、ノズル。
【請求項２６】
弁をさらに含み、該弁は、該弁の弁部材の位置に応じて前記第１の空気出口および前記第２の空気出口の一方または両方に前記空気流を差し向けるように構成されている、請求項２５に記載のノズル。
【発明の詳細な説明】
【技術分野】
【０００１】
本発明は、ファン組立体、および、ファン組立体のためのノズルに関する
【背景技術】
【０００２】
在来の家庭用ファンは、典型的には、軸線を中心として回転できるように取り付けられた１組のブレードまたは羽根、および、空気流を発生されるために１組のブレードまたは羽根を回転させる駆動装置を含む。空気流の運動および循環は、「風冷(wind chill)」またはそよ風を創出し、その結果、使用者は、熱が対流または気化によって放散されるときに冷却効果を経験する。ブレードは、全体的にケージ内に位置し、ケージは、ファンの使用中に、使用者が回転するブレードに接触するようになることを防止しながら、空気流がハウジングを通過することを可能にする。
【０００３】
米国特許第2,488,467号は、ファンから空気を投射させるためにケージに収容されたブレードを使用しないファンを記載している。代わりに、ファン組立体は、ベースであって、該ベース内に空気を引き込むためのモータ駆動される羽根車、および、ベースに連結された環状ノズルであって、各々が、ファンから空気流を放出するためにノズルの前部に配置された空気流出口を含む環状ノズルを含み、各ノズルは、該ノズルがまわりに延びるボアを規定するボア軸線のまわりに延びている。
【０００４】
各ノズルは、エアフォイルの形状になっており、エアフォイルは、したがって、ノズルの後部に位置する前縁、ノズルの前部に位置する後縁、および、前縁と後縁の間に延びる翼弦線を有するものと考えることができる。米国特許第2,488,467号では、各ノズルの翼弦線は、ノズルのボア軸線と平行である。空気出口は、翼弦線上に位置し、ノズルから離れる方に翼弦線に沿って空気流を放出するように配置されている。
【０００５】
ファン組立体から空気を投射させるためにケージに収容されたブレードを使用しないもう１つのファン組立体が、WO2010/100451に記載されている。このファン組立体は、円筒形ベースであって、これまた該ベース内に主空気流を引き込むためのモータ駆動羽根車を収容する円筒形ベース、および、このベースに連結された単一の環状ノズルを含み、該ノズルは、環状口／出口を含み、主空気流は、前記環状口／出口を通してファンから放出される。ノズルは、開口部を構成し、ファン組立体の局所的環境内の空気は、この開口部を通して、前記口から放出された主空気流によって引き込まれ、主空気流を増幅させる。ノズルは、コアンダ表面(Coanda surface)を含み、前記口は、このコアンダ表面上で主空気流を差し向けるように構成されている。コアンダ表面は、ファン組立体によって発生された空気流が、円筒形または截頭円錐形輪郭を有する環状ジェットの形態になるように、前記開口部を中心として対称的に延びている。
【発明の概要】
【０００６】
本発明の目的は、ファン組立体であって、増幅空気流、あるいは、非増幅空気流、あるいは、増幅空気流と非増幅空気流の両方を同時に送出し、そうする際に、ファン組立体の使用者に、ファン組立体によっていかなる空気が送出されるかについての種々の選択肢を与えることができるファン組立体を提供することである。
【０００７】
１つの観点によれば、空気流を発生させるためのモータ駆動羽根車と、第１の空気出口を含むノズルと、を含むファン組立体が提供される。ノズルは、ボアを構成し、ファン組立体の外側からの空気は、前記ボアを通して、第１の空気出口から放出される空気流の任意の部分によって引き込まれ、第１の空気出口から放出される空気流と組み合わさって、増幅空気流を生成する。ファン組立体は、第２の空気出口をさらに含み、第２の空気出口は、該第２の空気出口から放出される空気流の任意の部分が、前記ノズルによって構成された前記ボアを通して空気を引き込まず、それによって、非増幅空気流を生成するように構成されている。第２の空気出口は、非増幅空気流がファン組立体から離れる方に開出するように、該第２の空気出口から放出される空気流の任意の部分を差し向けるように構成されている。
【０００８】
モータ駆動羽根車によってファン組立体を通して引き込まれ、第１の空気出口および第２の空気出口の一方または両方によってファン組立体から放出される空気流は、以下では、主空気流と呼ばれる。第１の空気出口から放出されるこの空気流の任意の部分は、ノズルを取り囲む空気を連行し、かくして、ノズルは、主空気流と連行された空気の両方を使用者に供給する増幅器として作用する。連行された空気は、本願では、二次的空気流と呼ばれる。この二次的空気流は、ノズルを取り囲む室内空間、領域または外部環境から引き込まれる。主空気流は、したがって、連行された二次的空気流と組み合わさって、ノズルの前部から前方に投射される、組み合わされた、または増幅された空気流を形成する。対照的に、第２の空気出口から放出される主空気流の任意の部分は、いかなる重大な二次空気流も連行せず、したがって、本願では、非増幅空気流と呼ばれる。
【０００９】
好ましくは、ファン組立体は、空気流が第１の空気出口および第２の空気出口のいずれからも放出される前に空気流を浄化するように構成された少なくとも１つの浄化組立体を含む。
【００１０】
ノズルは、好ましくは、ループを含む。ノズルは、環状および細長い環状形状のいずれも有することができる。ファン組立体は、ファン本体をさらに含み、ノズルは、ファン本体上に取り付けられ、ファン本体によって支持される。ファン本体が、次いで、第２の空気出口をさらに含んでもよい。第２の空気出口は、次いで、非増幅空気流がファン本体から離れる方に開出するように、第２の空気出口から放出される空気流の任意の部分を差し向けるように構成されているのがよい。
【００１１】
代替的には、ノズルが、第２の空気出口を含んでもよい。第２の空気出口は、次いで、非増幅空気流が、ノズルによって構成されるボアの中心軸線から離れる方に開出するように、第２の空気出口から放出される空気流の任意の部分を差し向けるように構成されているのがよい。そうするために、第２の空気出口は、ノズルによって構成されるボアの中心軸線から離れる方に実質的に垂直に第２の空気出口から放出される空気流の任意の部分を差し向けるように構成されているのがよい。第２の空気出口は、したがって、第２の空気出口のダクトが、ノズルによって構成されるボアの中心軸線に対して実質的に垂直であるように構成されているのがよい。
【００１２】
第２の空気出口は、ノズルによって構成されるボアの中心軸線と実質的に平行である方向に向いているノズルの外面の少なくとも一部のまわりで延びているのがよい。
【００１３】
第１の空気出口は、ノズルによって構成されるボアの中心軸線と実質的に平行に放出される空気流を差し向けるように構成されているのがよい。第１の空気出口は、第１の空気出口のダクトが、ノズルによって構成されるボアの中心軸線と実質的に平行であるように構成されているのがよい。好ましくは、第１の空気出口は、ノズルによって構成されるボアの中心軸線と実質的に平行である方向に向いているノズルの縁部に設けられている。
【００１４】
好ましくは、ノズルは、弁をさらに含み、該弁は、該弁の弁部材の位置に応じて第１の空気出口および第２の空気出口の一方または両方に空気流を差し向けるように構成されている。弁部材は、該弁部材が、第１の空気出口に空気流を差し向け、第２の空気出口に到達しないように空気流を閉塞する第１の端位置と、該弁部材が、第２の空気出口に空気流を差し向け、第１の空気出口に到達しないように前記空気流を閉塞する第２の端位置との間で移動可能であるように構成されているのがよい。好ましくは、弁部材は、第１の端位置と第２の端位置の間に位置するときに、該弁部材が、第１の空気出口に空気流の第１の部分を差し向け、第２の空気出口に空気流の第２の部分を差し向けるように構成されている。
【００１５】
ノズルは、第１の空気出口、第２の空気出口、および、第１の空気出口および第２の空気出口の両方に空気流を運ぶための内部通路を含み、弁は、ノズルの内部通路内に設けられているのがよい。第１の空気出口および第２の空気出口の一方または両方の形状は、次いで、内部通路の整合する部分の形状に対応しているのがよく、弁は、次いで、ノズルの内部通路の少なくとも一部のまわりに延びているのがよい。弁は、次いで、第１の端位置において、弁部材が、内部通路内の空気流の残りの部分から第２の空気出口を閉塞するように構成されており、第２の端位置において、弁部材が、内部通路内の空気流の残りの部分から第１の空気出口を閉塞するように構成されているのがよい。
【００１６】
内部通路は、第１の空気流チャンネルおよび第２の空気流チャンネルを備えているのがよく、第１の空気流チャンネルは、第１の空気出口に向けて空気流を差し向けるように構成されており、第２の空気流チャンネルは、第２の空気出口に向けて空気流を差し向けるように構成されている。弁部材は、次いで、第１の端位置において、該弁部材が、内部通路の残りの部分から第２の空気流チャンネルを閉塞し、第２の端位置において、第１の空気流チャンネルを閉塞するように構成されているのがよい。
【００１７】
好ましくは、バッフルが内部通路内に設けられており、バッフルは、内部通路内で第１の空気流チャンネルおよび第２の空気流チャンネルの少なくとも一方を少なくとも部分的に構成している。弁部材は、次いで、第１の端位置および第２の端位置の一方でバッフルに当接し、それによって、内部通路の残りの部分から第１の空気流チャンネル、あるいは、第２の空気流チャンネルのいずれかを閉塞する。
【００１８】
弁は、第１の空気出口および第２の空気出口の一方または両方に空気流を差し向けるように弁部材の移動を生じさせるように構成された弁駆動体をさらに含むのがよい。弁駆動体は、弁モータ、および、手動駆動ダイアルまたはスイッチのいずれを含んでもよい。
【００１９】
弁駆動体は、ラックの移動を生じさせるように構成されているのがよく、ラックは、ラックの移動が弁部材の移動を生じさせるような弁部材とのリンク機構を備えている。ラックと弁部材の間のリンク機構は、好ましくは、カムがラックおよび弁部材の一方上に設けられ、フォロワがラックおよび弁部材の他方上に設けられ、カムと協働するように構成されているカム-フォロワ対によって提供される。
【００２０】
弁駆動体は、弁アクチュエータの移動を生じさせるように構成されているのがよく、弁アクチュエータは、弁アクチュエータの移動が弁部材の移動を生じさせるような弁部材とのリンク機構を備える、弁アクチュエータと弁部材の間のリンク機構は、好ましくは、カムが弁アクチュエータおよび弁部材の一方上に設けられ、フォロワが弁アクチュエータおよび弁部材の他方上に設けられ、カムと協働するように構成されているカム-フォロワ対によって提供される。弁駆動体は、ラックの移動を生じさせるように構成されているのがよく、ラックは、ラックの移動が弁部材の移動を生じさせるように弁アクチュエータに連結されている。
【００２１】
ラックは、内部通路の整合した部分の形状に対応する円弧の形状を有し、弁駆動体は、対で、ラックの円運動を生じさせるように構成されているのがよい。次いで、第１の弁アクチュエータが、円弧状ラックの第１の端に連結されており、第２の弁アクチュエータが、円弧状ラックの第２の端に連結されているのがよい。次いで、第１の弁部材に第１の弁アクチュエータをリンク結合するカム-フォロワ対のカムが、第２の弁部材に第２の弁アクチュエータをリンク結合するカム-フォロワ対のカムと対向する配向を有するのがよい。
【００２２】
ノズルは、２つ以上の第１の空気出口を有してもよく、弁は、次いで、２つ以上の第１の空気出口の各々に対応する弁部材を含むのがよく、各弁部材は、弁部材の位置に応じて空気流を対応する第１の空気出口に差し向けるように構成されている。代替的に、あるいは、追加的に、ノズルは、２つ以上の第２の空気出口を有してもよく、弁は、次いで、２つ以上の第２の空気出口の各々に対応する弁部材を含むのがよく、各弁部材は、弁部材の位置に応じて空気流を対応する第２の空気出口に差し向けるように構成されている。２つ以上の弁部材の各々は、次いで、弁部材が空気流を第１の空気出口に差し向け、第２の空気出口に到達しないように空気流を閉塞する第１の位置と、弁部材が空気流を第２の空気出口に差し向け、第１の空気出口に到達しないように空気流を閉塞する第２の位置との間で移動可能であるように構成されているのがよい。
【００２３】
第２の観点によれば、ファン組立体のためのノズルであって、該ノズルは、ファン組立体から空気流を受け入れるための空気入口と、第１の空気出口と、第２の空気出口と、を含む、ノズルが提供される。ノズルは、ボアを構成し、ファン組立体の外側からの空気は、ボアを通して、第１の空気出口から放出される空気流の任意の部分によって引き込まれ、第１の空気出口から放出される空気流と組み合わさって、増幅空気流を生成する。第２の空気出口は、該第２の空気出口から放出される前記空気流の任意の部分が、前記ノズルによって構成された前記ボアを通して空気を引き込まず、それによって、非増幅空気流を生成するように構成されている。
【００２４】
好ましくは、ノズルは、弁をさらに含み、該弁は、該弁の弁部材の位置に応じて第１の空気出口および第２の空気出口の一方または両方に空気流を差し向けるように構成されている。弁部材は、該弁部材が、第１の空気出口に空気流を差し向け、第２の空気出口に到達しないように空気流を閉塞する第１の端位置と、該弁部材が、第２の空気出口に空気流を差し向け、第１の空気出口に到達しないように空気流を閉塞する第２の端位置との間で移動可能であるように構成されているのがよい。好ましくは、弁部材は、第１の端位置と第２の端位置の間に位置するときに、該弁部材が、第１の空気出口に空気流の第１の部分を差し向け、第２の空気出口に空気流の第２の部分を差し向けるように構成されている。
【００２５】
第２の空気出口は、ノズルによって構成されるボアの中心軸線から離れる方に実質的に垂直に第２の空気出口から放出され空気の任意の部分を差し向ける。第２の空気出口は、したがって、第２の出口のダクトが、ノズルによって構成されるボアの中心軸線に対して実質的に垂直であるように構成されているのがよい。第２の空気出口は、ノズルによって構成されるボアの中心軸線と実質的に垂直である方向に向いているノズルの外面の少なくとも一部のまわりに延びるのがよい。
【００２６】
第１の空気出口は、ノズルによって構成されるボアの中心軸線から離れる方に実質的に垂直に放出される空気流を差し向けるように構成されているのがよい。第１の空気出口は、第１の空気出口のダクトが、ノズルによって構成されるボアの中心軸線と実質的に平行であるように構成されているのがよい。好ましくは、第１の空気出口は、ノズルによって構成されるボアの中心軸線と実質的に平行である方向に向いているノズルの縁部に設けられている。
【００２７】
ノズルは、空気入口から第１の空気出口および第２の空気出口に空気を運ぶための内部通路を含むのがよい。弁は、次いで、ノズルの内部通路内に設けられるのがよい。
【００２８】
第３の観点によれば、羽根車、空気流を発生させるように羽根車を回転させるためのモータ、および、羽根車により発生された空気流を受け取るように構成された第２の観点によるノズルを含むファン組立体が提供される。
【００２９】
本発明の好ましい特徴を、添付の図面を参照して例としてのみ以下で説明する。
【図面の簡単な説明】
【００３０】
【図１Ａ】ファン組立体の第１の実施形態の正面図である。
【図１Ｂ】ファン組立体の第１の実施形態の右側面図である。
【図２】図１Ａの線Ａ−Ａに沿って取られた右側面横断面図である。
【図３】図１Ｂの線Ｂ−Ｂに沿って、ファン組立体のノズルを通して取られた横断面図である。
【図４】図２の横断面図の一部の拡大図を示す。
【図５】図１Ａおよび図１Ｂのファン組立体の主本体部分の斜視図である。
【図６Ａ】図１Ａおよび図１Ｂのファン組立体の浄化組立体の分解図である。
【図６Ｂ】図１Ａおよび図１Ｂのファン組立体と共に使用されるのに適した穿孔シュラウドの背面斜視図である。
【図７】図１Ａおよび図１Ｂのファン組立体のノズルの分解図である。
【図８】図１Ａおよび図１Ｂのファン組立体の弁の背面斜視図である。
【図９Ａ】ファン組立体のノズルの第２の実施形態の正面図である。
【図９Ｂ】ファン組立体のノズルの第２の実施形態の右側面図である。
【図１０Ａ】第１の作動モードにあるときに図９Ｂの線Ｂ−Ｂに沿って取られた、図９Ａおよび図９Ｂのノズルの１つの断面における横断面図である。
【図１０Ｂ】第２の作動モードにあるときに図９Ｂの線Ｂ−Ｂに沿って取られた、図９Ａおよび図９Ｂのノズルの１つの断面における横断面図である。
【図１１】図９Ａおよび図９Ｂのノズルの分解図である。
【図１２】図９Ａおよび図９Ｂのノズルの弁の正面斜視図である。
【図１３Ａ】ファン組立体のノズルの第３の実施形態の正面図である。
【図１３Ｂ】ファン組立体のノズルの第３の実施形態の右側面図である。
【図１４Ａ】第１の作動モードにあるときに図１３Ｂの線Ｂ−Ｂに沿って取られた、図１３Ａおよび図１３Ｂのノズルの１つの断面における横断面図である。
【図１４Ｂ】第２の作動モードにあるときに図１３Ｂの線Ｂ−Ｂに沿って取られた、図１３Ａおよび図１３Ｂのノズルの１つの断面における横断面図である。
【図１５】図１３Ａおよび図１３Ｂのノズルの分解図である。
【図１６】図１３Ａおよび図１３Ｂのノズルの弁の正面斜視図である。
【発明を実施するための形態】
【００３１】
ファン組立体であって、増幅空気流、あるいは、非増幅空気流を送出し、あるいは、増幅空気流と非増幅空気流の両方を同時に送出することができ、そうする際に、ファン組立体の使用者に、ファン組立体によっていかなる空気が送出されるかについての種々の選択肢を与えることができるファン組立体が提供される。本願で使用されている用語「ファン組立体」とは、温熱快適性、および／または、環境もしくは気候制御の目的で空気流を発生させ、送出するように構成されたファン組立体をいう。かかるファン組立体は、脱湿空気流、加湿空気流、浄化空気流、ろ過空気流、冷却空気流、および、加熱空気流の１つまたはそれ以上を発生させることができる。
【００３２】
ファン組立体１０００は、空気入口１１１０を含む本体またはスタンド１１００であって、主空気流が、空気入口１１１０を通って、本体またはスタンド１１００と、空気入口１１１０上で本体１１００上に取り付けられた少なくとも１つの浄化フィルタ組立体１２００と、空気ベント／開口部１１１５に取り付けられたノズルと、を含み、主空気流は、空気ベント／開口部１１１５を通して、本体１１００を出る。ノズル１３００は、ファン組立体１０００から主空気流を放出するための第１の空気出口１３１０と、ファン組立体１０００から主空気流を放出するための第２の空気出口と、弁１４００と、を含み、弁１４００は、弁１４００の弁部材１４１０の位置に応じて第１の空気出口１３１０および第２の空気出口１３２０の一方または両方に主空気流を差し向けるように構成されている。
【００３３】
ノズル１３００は、ノズル１３００の空気入口１３４０から、第１の空気出口１３１０および第２の空気出口１３２０の一方または両方に空気を運ぶための内部通路１３３０を含む。ノズル１３００はまた、中央／内側開口部／ボア１５００を構成し、ファン組立体１０００の外側からの空気は、中央／内側開口部／ボア１５００を通して、第１の空気出口１３１０から放出される主空気流によって引き込まれ、中央／内側開口部／ボア１５００は、放出される空気流と組み合わさって、増幅空気流を生成する。ノズル１３００は、したがって、ボア１５００のまわりに延び、ボア１５００を取り囲むループを形成する。
【００３４】
ノズル１３００の第２の空気出口１３２０は、内部通路１３３０から空気流を受け入れ、ノズル１３００によって構成された開口部ボア１５００を通してファン組立体の外側から空気を引き込むことなく空気流を放出するように構成されており、それによって、非増幅空気流を生成する。本願に示されている実施形態では、第２の空気出口１３２０は、放出される空気流を、該放出される空気流がファン組立体１０００から離れる方に実質的に放射／開出するように差し向ける。特に、第２の空気出口１３２０は、放出される空気流を、該放出される空気流がノズル１３００によって構成された開口部ボア１５００の中心軸線(X)から離れる方に実質的に放射／開出するように、すなわち、ノズル１３００によって構成された開口部ボア１５００の中心軸線(X)から離れる方に３０°と１５０°の間の角度をなして放射／開出するように、差し向ける。好ましくは、第２の空気出口１３２０は、非増幅空気流を、ノズル１３００によって構成された開口部ボア１５００の中心軸線(X)から離れる方に実質的に垂直に、すなわち、ノズル１３００によって構成された開口部ボア１５００の中心軸線(X)から離れる方に４５°から１４５°の角度をなして、より好ましくは、ノズル１３００によって構成された開口部ボア１５００の中心軸線(X)から離れる方に７０°から１１０°の角度をなして差し向けるように構成されている。第２の空気出口１３２０は、したがって、ボア１５００を通して空気が引き込まれる方向と実質的に垂直な方向に非増幅空気流を差し向けるように構成されるであろう。
【００３５】
図１Ａおよび図１Ｂは、自立環境制御ファン組立体１０００の第１実施形態の外部図であり、図２および図３は、図１Ａおよび図１Ｂの線Ａ−Ａおよび線Ｂ−Ｂにおける断面図を示している。図４は、次いで、図１Ａおよび図１Ｂに示されているファン組立体１０００の本体１１００の拡大断面図を示している。図２および図４に示されているように、本体１１００は、実質的に円筒形の下側本体部分１１３０上に取り付けられた実質的に円筒形の主本体部分１１２０を含む。主本体部分１１２０は、下側本体部分１１３０よりも小さい外径を有する。主本体部分１１２０は、主本体部分１１２０の下端から離れる方に半径方向／垂直方向に延びる下側環状フランジ１１２１を有する。下側環状フランジ１１２１の外縁は、下側本体部分１１２０の外面と実質的に面一である。次いで、取り外し可能な浄化／フィルタ組立体１２００は、主本体部分１１２０上に取り付けられ、主本体部分１１２０の下側環状フランジ１１２１上に載る。この実施形態では、主本体部分１１２０は、主本体部分１１２０の反対側の上端から離れる方に半径方向／垂直方向に延びる上側環状フランジ１１２２をさらに含む。上側環状フランジ１１２２の外縁は、次いで、主本体部分１１２０の上端に連結するノズル１３００のベース／ネック１３５０の外面と実質的に面一である。
【００３６】
この第１実施形態では、ファン組立体１０００は、主本体部分１１２０の２つの対向する半部上に位置してこれらの半部を覆うように構成されている２つの別個の浄化組立体１２００ａ、１２００ｂを含む。各浄化組立体１２００は、したがって、主本体部分１１２０上に同心状に位置することができ、主本体部分１１２０の下側環状フランジ１１２１上に載る半シリンダ／管の形状を実質的に有する。したがって、図５は、浄化組立体の一方１２００ａが取り外され、浄化組立体の他方１２００ｂが主本体部分１１２０の遠い側上に取り付けられている主本体部分１１２０を示している。
【００３７】
図６Ａは、図１−図５のファン組立体と共に使用されるのに適したフィルタ組立体１２００の１つの実施形態の分解図を示している。この実施形態では、各フィルタ組立体１２００は、１つまたはそれ以上のフィルタ媒体を支持するフィルタフレーム１２１０を含む。各フィルタフレーム１２１０は、フィルタフレーム１２１０の長手方向軸線と平行である２つの直線状側面、および、フィルタフレーム１２１０の長手方向軸線と垂直である２つの湾曲した端を備える半シリンダの形状を実質的に有する。１つまたはそれ以上のフィルタ媒体は、フィルタフレーム１２１０によって構成された表面領域を覆うように構成されている。
【００３８】
フィルタフレーム１２１０は、フィルタフレーム１２１０の第１の湾曲した端から離れる方に半径方向／垂直方向に延びる第１の端フランジ１２１１、および、フィルタフレーム１２１０の反対側の第２の湾曲した端から離れる方に半径方向／垂直方向に延びる第２の端フランジ１２１２を備える。各フィルタフレーム１２１０は、次いでまた、フィルタフレーム１２１０の第１の側から、第１の端フランジ１２１１の第１の端から離れる方に第２の端フランジ１２１２の第１の端まで延びる第１の側方フランジ１２１３、および、フィルタフレーム１２１０の第２の側から、第１の端フランジ１２１１の第２の端から離れる方に第２の端フランジ１２１２の第２の端まで延びる第２の側方フランジ１２１４を備える。第１の端フランジ１２１１、第２の端フランジ１２１２、第１の側方フランジ１２１３、および、第２の側方フランジ１２１４は、互いに一体的に形成され、それによって、フィルタフレーム１２１０の全周のまわりに延びるリッジまたはリムを形成する。フランジ１２１１−１２１４は、フィルタ媒体を封止することができる（例えば、フィルタ１２１０の下流側で糊を使用して）面を提供し、また、フィルタフレーム１２１０が、空気がフィルタ媒体を通過することなくファン本体１１００の内外に漏れるのを防止するように、主本体１１２０と封止部を形成するのを可能にする面を提供する。
【００３９】
各フィルタ組立体１２００は、空気がフィルタ組立体１２００の縁のまわりで主本体部分１１２０の空気入口１１１０に通過するのを防止するように主本体部分１１２０と係合するためにフィルタフレーム１２１０の内周の全体のまわりに設けられた可撓性シール１２３０をさらに含む。可撓性シール１２３０は、好ましくは、円弧形状ワイパまたはリップの形態を実質的に取る下側湾曲シール部分および上側湾曲シール部分を含み、下側湾曲シール部分の各端は、各々がワイパまたはリップの形態を実質的に取る２つの直線状シール部分によって上側シール部分の対応する端に連結されている。上側湾曲シール部分および下側湾曲シール部分は、したがって、主本体部分１１２０の湾曲した上端および下端に接触するように構成されているのに対して、直線状シール部分は、主本体部分１１２０から離れる方に垂直方向に延びる２つの直径方向に対向した長手方向フランジの一方または他方に接触するように構成されている。好ましくは、フィルタフレーム１２１０は、フィルタフレーム１２１０の内周の全体のまわりに延び、シール１２３０を支持し、受け入れるように構成されている凹部（図示せず）を備える。図示されている実施形態では、この凹部は、第１の側方フランジ１２１３および第２の側方フランジ１２１４の両方の内面、および、フィルタフレーム１２１０の第１の端および第２の端の両方の内縁を横切って延びる。
【００４０】
第１および第２のフランジ１２１１、１２１２と第１および第２の側方フランジとの間の領域を横切って延びる凸形の外面上に支持される。図示されている実施形態では、各フィルタ組立体１２００ａ、１２００ｂは、フィルタフレーム１２１０の外面上に取り付けられた外側メッシュ層１２２２で覆われた粒子状フィルタ媒体層１２２１を含む。随意には、１つまたはそれ以上の別のフィルタ媒体が、次いで、フィルタフレーム１２１０の凹形の内面内に位置してもよい。例えば、これらの別のフィルタ媒体は、第２の化学的フィルタ媒体層によって覆われた第１の化学的フィルタ媒体層を含むのがよく、第１の化学的フィルタ媒体層および第２の化学的フィルタ媒体層は共にフィルタフレーム１２１０の内面内に位置する。これらの別のフィルタ媒体は、フィルタフレーム１２１０の凹形の内面に取り付けられ、かつ／または、フィルタフレーム１２１０の凹形の内面上に支持されるのがよく、あるいは、代替的には、主本体部分１１２０上に取り付けられ、各フィルタ組立体１２００ａ、１２００ｂの下で主本部分１１２０の下側環状フランジ１１１１上に載ってもよい。いずれの場合においても、フィルタフレーム１２１０は、フィルタフレーム１２１０の凹形の内面内に空間を構成するように形成されることとなり、フィルタフレーム１２１０の凹形の内面内で、これらのフィルタ媒体は、フィルタ組立体１２００が主本体部分１１２０上に取り付けられるときに、フィルタフレーム１２１０の凹形の内面内に収容されることができるようになる。
【００４１】
図５に示されているように、実質的に半シリンダの形状である穿孔シュラウド１２４０が、次いで、主本体部分１１２０上に配置されるときに、浄化組立体１２００を覆うようにフィルタフレーム１２１０に同心状に取り付けられる。図６Ｂは、図１−図５のファン組立体と共に使用されるのに適した穿孔シュラウド１２４０の背面斜視図を示している。穿孔シュラウド１２４０は各々、ファン１０００の使用に際して浄化組立体１２００の空気入口として作用する孔の配列を含む。代替的には、シュラウド１２４０の空気入口１２４１は、シュラウドに設けられた窓内に取り付けられた１つまたはそれ以上のグリルまたはメッシュを含んでもよい。本発明の範囲内で、空気入口の配列の代替的なパターンが考えられることも明らかであろう。シュラウド１２４０は、例えば移動中に、損傷からフィルタ媒体１２２１−１２２４を保護し、また、ファン組立体１２００の全体的な外観と相俟って、浄化組立体１２００のために視覚的に魅力的な外面を提供する。
【００４２】
主本体部分１１２０は、ファン組立体１０００の種々の構成要素を収容する穿孔ハウジング１１２４を含む。穿孔ハウジング１１２４は、ファン組立体１０００の本体１１００の空気入口１１１０として作用する孔の配列を含む。浄化組立体は、次いで、羽根車によって主本体部分１２００内に引き込まれた空気が、主本体部分１２００に入る前にろ過されるように、主本体部分１２００の空気入口１１１０の上流側に配置される。これは、ファン組立体１０００に潜在的に損傷を生じさせ得るいかなる粒子も除去するのに役立ち、また、ノズル１３００から放出された空気が粒子状物質を含まないことを確保する。さらに、これは、潜在的に健康に危険であり得る種々の化学物質を除去し、それによって、ノズルから放出される空気が浄化される。この実施形態では、空気入口１１１０は、主本体部分１１２０に形成された孔の配列を含む。代替的には、空気入口１１１０は、主本体部分１１２０に形成された窓内に取り付けられた１つまたはそれ以上のグリルまたはメッシュを含んでもよい。主本体部分１１２０は、主空気流を本体１１００から排出させる空気ベント／開口部１１１５を収容するように前端が開放している。
【００４３】
下側本体部分１１３０は、主本体部分１１２０内に収容された構成要素以外のファン組立体の構成要素を収容する別のハウジングを含む。下側本体部分１１３０は、ファン組立体１０００が配置される面に係合するためのベース１１４０上に取り付けられている。特に、ベース１１４０は、ノズル１３００がベース１１４０に対して最上部にある状態で面上に配置されるときにファン組立体１０００を支持する。この実施形態では、下側本体部分１１３０は、パンピニオン（図示せず）によって係合されるパン駆動ギア（図示せず）を収容する。振動モータ１１６０によるパンピニオンの回転は、したがって、下側本体部分１１３０に対して主本体部分１１２０を回転させる。ファン組立体１０００に電力を供給するための主電力ケーブルが、下側本体部分１１３０に形成された孔１１３１を通して延びる。ケーブルの外部端は、次いで、主電源に接続するためのプラグに接続される。
【００４４】
主本体部分１１２０は、主空気流がファン組立体１０００から放出される方向を調節するように下側本体部分１１３０に対して傾けられているのがよい。例えば、下側本体部分１１３０の上面１１３２、および、主本体部分１１２０の下面は、主本体部分１１２０が下側本体部分１１３０から持ち上げられるのを防止しながら、主本体部分１１２０が下側本体部分１１３０に対して移動するのを可能にする相互連結特徴を備えるのがよい。例えば、下側本体部分１１３０および主本体部分１１２０は、相互係止Ｌ字形部材を含むのがよい。この実施形態では、下側本体部分１１３０の上面１１３２は凹形であり、主本体部分１１２０の下面１１２５は対応するように凸形である。したがって、２つの面の少なくとも一部は、主本体部分１１２０が下側本体部分に対して傾けられるときに、少なくとも部分的に連結されたままになる。
【００４５】
上述したように、主本体部分１１２０は、下側本体部分１１３０内でパン駆動ギアと係合されるパンピニオンを駆動する振動モータ１１６０を収容する。図３および図５に示されている実施形態では、振動モータ１１６０は、主本体部分の凸形の下面１１２５に隣接して、主本体部分１１２０の底部内に収容される。振動モータ１２６０と共に、パンピニオンおよびパン駆動ギアは、下側本体部分１１３０に対して主本体部分１２０を振動させるための振動機構を提供する。この振動機構は、使用者によって与えられる制御入力に応答してファン組立体１０００の主制御回路１１７０によって制御される。
【００４６】
主電源ケーブルは、下側本体部分１１３０を通過し、主電源ケーブルの内部端は、次いで、主本体部分１１２０の底部に向かって収容された主電源ユニット１１８０に接続される。この実施形態では、主電源ユニット１１８０は、振動モータ１１６０の上方に固定された電源マウント上に取り付けられている。電源カバー１１８２が、次いで、主電源ユニット１１８０を包囲し、保護するように主電源ユニット１１８０を覆って位置決めされる。この実施形態では、主電源カバー１１８２は、空気入口１１１０を通してファン組立体１０００に入る主空気流のいかなる妨害も最小にし、かつ、主空気流を案内するのを助けるような実質的にドーム形である。随意には、主電源ユニット１１８０によって発生される熱を放散させるのを助けるために、シートシンク（図示せず）の上面上に設けられてもよい。主電源ユニット１１８２の上面上にヒートシンクを取り付けることによって、シートシンクは、主空気流が主電源ユニット１１８０によって発生される熱を放散させるのをさらに助けるように、空気入口１１１０を通して本体１１００に入る空気の経路内に配置される。
【００４７】
主本体部分１１２０は、主空気流を、空気入口１１１０を通して本体１１００内に引き込むための羽根車１１５０を収容する。好ましくは、羽根車１１５０は、混合流羽根車の形態をしている。羽根車１１５０は、モータ１１５２から外方に延びる回転シャフト１１５１に連結されている。図３および図５に示されている実施形態では、モータ１１５２は、使用者によって与えられる制御入力に応答して主制御回路１１７０によって可変である速度を有するDCブラシレスモータである。モータ１１５２は、下側部分１１５３ｂに連結された上側部分１１５３ａを含むモータバケット１１５３内に収容されている。モータバケットの上側部分１１５３ａは、湾曲ブレードを有する環状ディスクの形態のディフューザ１１５３ｃをさらに含む。
【００４８】
モータバケット１１５３は、主本体部分１１２０内に取り付けられた羽根車ハウジング１１５４内に配置され、この羽根車ハウジング１１５４上に取り付けられている。羽根車ハウジング１１５４は、略截頭円錐形羽根車壁１１５４ａと、羽根車壁１１５４ａ内に配置された羽根車シュラウド１１５４ｂと、を含む。羽根車１１５０、羽根車壁１１５４ａ、および、羽根車シュラウド１１５４ｂは、羽根車１１５０が、羽根車シュラウドシュラウド１１５４ｂに近接しているが、羽根車シュラウドシュラウド１１５４ｂに接触しないように形状決めされている。実質的に環状の入口部材１１５５が、次いで、羽根車ハウジング１１５４内に主空気流を案内するために根車ハウジング１１５４に連結される。
【００４９】
図２および図４に示されている実施形態では、主空気流を本体１１００から排出させる空気ベント／開口部１１１５は、モータバケットの上側部分１１５３ａおよび羽根車壁１１５４ａによって構成されている。
【００５０】
可撓性封止部材１１５６が、羽根車ハウジング１１５４と主本体部分１１２０との間に取り付けられている。可撓性封止部材１１５６は、空気が羽根車ハウジング１１５４の外面のまわりで入口部材１１５５に通過するのを防止する。封止部材１１５６は、好ましくは、好ましくはゴムで形成された環状リップシールを含む。
【００５１】
上述したように、ノズル１３００は、主空気流が本体１１００を出ていく空気ベント１１１５の上方で主本体部分１１２０の上端上に取り付けられている。ノズル１３００は、主本体部分１１２０の上端に連結し、本体１１００から主空気流を受け入れるための空気入口１３４０を提供する開放した下端を有するネック／ベース１３５０を含む。ノズル１３００のベース１３５０の外面は、次いで、主本体部分１１２０の上側環状フランジ１１２１の外縁と実質的に面一である。ベース１３５０は、したがって、主本体部分１１２０の上面１１２１上に設けられているファン組立体１０００の任意の構成要素を覆う／包囲するハウジングを含む。
【００５２】
図３および図５に示されている実施形態では、主制御回路１１７０は、主本体部分１１２０の上端から離れる方に半径方向に延びる上側環状フランジ１１２１の上面上に取り付けられている。主制御回路１１７０は、したがって、ノズル１３００のベース１３５０内に収容されている。さらに、電子ディスプレイ１１８０が、主本体部分１１２０の上側環状フランジ１１２１上に取り付けられており、したがって、ノズル１３００のベース１３５０内に収容されており、ディスプレイ１１８０は、ベース１３５０に設けられた開口部、または、少なくとも部分的に透明な窓を通して見ることができる。随意には、１つまたはそれ以上の追加の電子構成要素が、上側環状フランジ１１２１上に取り付けられ、結果的に、ノズル１３００のベース１３５０内に収容されるのがよい。例えば、これらの追加の電子構成要素は、Wi-Fi Bluetooth（登録商標）等のような１つまたはそれ以上のワイヤレス通信モジュール、および、赤外線センサ、埃センサ等のような１つまたはそれ以上のセンサ、および任意の関連したエレクトロニクスであってよい。任意のかかる追加のエレクトロニクスは、次いで、主制御回路１１７０に接続されることになるだろう。
【００５３】
図１−図４に示されている実施形態では、ノズル１３００は、しばしばスタジアム形状と呼ばれる細長い管状の形状を有し、その幅よりも大きい高さを有する細長い開口部１５００を構成する。ノズル１３００は、したがって、各々が開口部１５００のそれぞれの細長い側部に隣接している２つの比較的直線状の部分１３０１、１３０２、２つの比較的直線状の部分１３０１、１３０２の上端を接合する上側湾曲部分１３０３、および、２つの比較的直線状の部分１３０１、１３０２の下端を接合する下側湾曲部分１３０４を含む。
【００５４】
ノズル１３００は、したがって、細長い環状内側ケーシング部分１３７０と同心状であり、この細長い環状内側ケーシング部分１３７０のまわりに延びる細長い環状外側ケーシング部分１３６０を含む。この例では、内側ケーシング部分１３７０と外側ケーシング部分１３６０は、別体の構成要素である。しかしながら、これらの内側ケーシング部分および外側ケーシング部分は、単一部品として一体的に形成されてもよい。ノズル１３００はまた、ノズル１３００の後部を形成する湾曲した後側ケーシング部分１３８０を有し、湾曲した後側ケーシング部分１３８０の上端は、内側ケーシング部分１３７０の上端に連結されている。この例では、内側ケーシング部分１３７０および湾曲した後側ケーシング部分１３８０は、例えば、ねじおよび／または接着材を使用して、互いに連結された別体の構成要素である。しかしながら、これらの内側ケーシング部分および湾曲した後側ケーシング部分もまた、単一部品として一体的に形成されてもよい。湾曲した後側ケーシング部分は、ノズル１３００の内側ボア１５００の中心軸線(X)と垂直な略細長い環状横断面、および、ノズル１３００の内側ボア１５００の中心軸線(X)と平行な略半円形横断面を有する。
【００５５】
内側ケーシング部分１３７０は、ノズル１３００の内側ボア１５００の中心軸線(X)と垂直な略細長い環状横断面を有し、ノズル１３００の内側ボア１５００のまわりに延び、ズル１３００の内側ボア１５００を取り囲む。この例では、内側ケーシング部分１３７０は、後側部分１３７１、および、前側部分１３７２を有する。後側部分１３７１は、内側ボア１５００の中心軸線(X)から離れる方に内側ケーシング１３７０の後端から外方に角度をなしている。前側部分１３７２もまた、内側ボア１５００の中心軸線(X)から離れる方に内側ケーシング１３７０の後端から外方に角度をなしているが、その角度は、後側部分１３７１の角度よりも大きい。内側ケーシング部分１３７０の前側部分１３７２は、したがって、外側ケーシング１３６０の前端に向かってテーパしているが、外側ケーシング１３６０の前端とは出会わず、外側ケーシング１３６０の前端が、ノズル１３００の第１の空気出口１３１０を形成するスロットを構成する。
【００５６】
外側ケーシング部分１３６０は、次いで、ノズル１３００の前部から湾曲した後側ケーシング部分に向かって延びるが、湾曲した後側ケーシング部分とは出会わず、外側ケーシング部分１３６０の後端と湾曲した後側ケーシング部分１３８０の後端の間の空間は、ノズル１３００の第２の空気出口１３２０を形成するスロットを構成する。
【００５７】
外側ケーシング部分１３６０、内側ケーシング部分１３７０、および、湾曲した後側ケーシング部分１３８０は、したがって、ノズル１３００の空気入口１３４０から第１の空気入口１３１０および第２の空気出口１３８０の一方または両方に空気を搬送するための内部通路を構成する。換言すると、内部通路１３３０は、外側ケーシング部分１３６０、内側ケーシング部分１３７０、および、湾曲した後側ケーシング部分１３８０の内面によって境界決めされている。内部通路１３３０は、空気入口１３４０を通してノズル１３００に入る空気が、ノズル１３００の下側湾曲部分１３０４に入り、各々がノズル１３００の直線状部分１３０１、１３０２のそれぞれの１つ内に流れる２つの空気流れに分割されるときに、ボア１５００のまわりで各々が反対方向に延びる第１の部分および第２の部分を含むと考えることができる。
【００５８】
ノズル１３００は、ノズル１３００の内部通路１３３０の湾曲部分から空気の漏れが実質的にないように、各々がノズル１３００の頂部湾曲部分１３０３および底部湾曲部分１３０４において外側ケーシング部分１３６０と内側ケーシング部分１３７０の間でシールを形成するための２つの湾曲したシール部材１３６５をさらに含む。ノズル１３００は、したがって、各々が中央ボア１５００のそれぞれの細長い側に位置する２つの細長い第１の空気出口１３１０ａ、１３１０ｂを含む。この実施形態では、ノズル１３００は、したがって、ノズル１３００の前部に向かってノズル１３００および／または開口部１５００の細長い両側に位置する主空気流を放出するための１対の第１の空気出口１３１０ａ、１３１０ｂを備える。
【００５９】
ノズル１３００は、次いで、内部通路１３３０内に、各々が１対の第１の空気出口１３１０ａ、１３１０ｂのそれぞれの１つに隣接している１対のヒータ組立体１３９０ａ、１３９０ｂをさらに含む。各ヒータ組立体１３９０ａ、１３９０ｂは、フレーム１３９２内に支持された複数のヒータ要素１３９１を含み、フレーム１３９２は、次いで、それぞれの第１の空気出口１３１０ａ、１３１０ｂに隣接してノズル１３００の内部通路１３３０内に取り付けられている。各々のヒータ組立体１３９０ａ、１３９０ｂは、したがって、内部通路１３３０内に取り付けられたときに、ヒータ要素１３９１を通して、かつ対応する第１の空気出口１３１０ａ、１３１０ｂから外に空気流を差し向けるように構成されている。そうするために、ヒータ要素１３９１と対応する第１の空気出口１３１０ａ、１３１０ｂの間にあるフレーム１３９２の部分は、空気出口に向かってテーパしており、フレーム１３９２の狭い端は、ノズル１３００の前方に向かう縁部に設けられた対応する第１の空気出口１３１０ａ、１３１０ｂを備える。フレーム１３９２のこのテーパした部分は、第１の空気出口１３１０ａ、１３１０ｂに向けて空気流を通し、第１の空気出口１３１０ａ、１３１０ｂのダクト１３１１を形成するように、空気案内部材として作用する。
【００６０】
図４に示されている実施形態では、第１の空気出口１３１０ａ、１３１０ｂの各々は、したがって、対応するヒータ組立体１３９０のフレーム１３９２によって構成されるノズル１３００の内部通路１３３０内に対応する第１の空気流チャンネル１３１２ａ、１３１２ｂを備える。ヒータ組立体１３９０のフレーム１３９２の内縁によって構成される、第１の空気流チャンネル１３１２ａ、１３１２ｂ内への空気入口は、ボア／開口部１５００の中心軸線(X)と実質的に垂直である。１対の第１の空気出口１３１０ａ、１３１０ｂから放出された空気流が、ファン組立体１０００の外側から空気を引き込み、この空気と組み合わさって増幅空気流を形成するために、第１の空気出口１３１０ａ、１３１０ｂは、ノズル１３００によって構成される開口部／ボア１５００の中心軸線(X)と実質的に丙宇高である方向に、すなわち、中心軸線から離れる方に-３０°〜+３０°の角度、好ましくは中心軸線から離れる方に-２０°〜+２０°の角度、より好ましくは中心軸線から離れる方に-１０°〜+１０°の角度の角度をなしている方向に、放出される空気流を差し向けるように構成されている。そうするために、各第１の空気出口１３１０ａ、１３１０ｂは、第１の空気出口１３１０ａ、１３１０ｂのダクト１３１１が、ノズル１３００によって構成される開口部／ボア１５００の中心軸線(X)と実質的に垂直であるように構成されている。
【００６１】
第２の空気出口１３２０は、次いで、ノズル１３００によって構成される開口部／ボア１５００の中心軸線(X)に対して実質的に垂直であるように構成されている。その結果、第２の空気出口から放出される非増幅空気流は、ノズル１３００によって構成される開口部／ボア１５００の中心軸線(X)から離れる方に実質的に垂直に差し向けられるようになる。図４に示されているように、第２の空気出口１３２０のダクト１３２１は、ボア１５００を通して引き込まれる空気の方向と実質的に垂直である方向に本体１１００から受け取られた主空気流をノズル１３００の外周に運ぶ内部通路１３３０から延びている。
【００６２】
図４に示されている実施形態では、第２の空気出口１３２０に向けて主空気流を差し向けるように構成された第２の空気流チャンネル１３２２を内部通路１３３０内に構成するバッフル１４２０が、内部通路内に設けられている。バッフル１４２０は、内部通路１３３０を少なくとも部分的に構成するノズル１３００の内面から内部通路１３３０内に延びており、第２の空気流チャンネル１３２２は、バッフル１４２０の一方の側にある内部通路１３３０の部分である。特に、第２の空気流チャンネル１３２２は、バッフル１４２０、および、第２の空気流チャンネル１３２０に隣接した部分であるノズル１３００の内面の部分によって境界決めされている内部通路１３３０の部分を含む。
【００６３】
バッフル１４２０は、湾曲した後側ケーシング部分１３８０から内部通路１３３０内に延びるバッフル壁によって提供される。バッフル壁１４２０は、湾曲した後側ケーシング部分１３８０の外側端に連結されており、前側部分１４２１および後側部分１４２２を有する。バッフル壁１４２０の後側部分１４２２は、湾曲した後側ケーシング部分１３８０の外側端からボア１５００の中心軸線(X)に向けて内方に角度付けされている。バッフル壁１４２０の前側部分１４２１は、次いで、この前側部分１４２１が外側ケーシング部分１３６０と平行であり、この前側部分１４２１の大部分が外側ケーシング部分１３６０と重なるように、後側部分１４２２に対して角度付けされている。バッフル壁１４２０の前側部分１４２１と外側ケーシング部分１３６０の重なる部分の間に位置する内部通路１３３０の部分は、したがって、内部通路１３３０内で第２の空気流チャンネル１３２２を形成し、バッフル壁１４２０の角度付けされた後側部分１４２２は、ノズル１３００によって構成される開口部／ボア１５００の中心軸線(X)に対して実質的に垂直である第２の空気出口１３２０のダクト１３２１を提供する。バッフル壁の前端部１４２１および外側ケーシング部分１３６０の内面によって構成される、第２の空気流チャンネル１３２２内への空気入口は、ノズル１３００によって構成される開口部／ボア１５００の中心軸線(X)と実質的に垂直である。
【００６４】
さらに、バッフル壁１４２０は、上側湾曲部分１３０３のピーク／中央に突出部１４２４をさらに含み、突出部１４２４は、バッフル壁１４２０の外方に向いた面から外側ケーシング部分の内面まで延び、それによって、内部通路１３３０から第２の空気流チャンネルを分離し、内部通路１３３０から第２空気流チャンネル１３２２内への開口部／入り口を２つの部分であって、各々が、細長い側部１３０１、１３０２まで、および、上側湾曲部分１３０３のピーク突出部に達するまで内部通路１３３０の上側湾曲部分１３０３のまわりに部分的に延びる２つの開口部／入り口部分に分割する。
【００６５】
図１−図４に示されている実施形態では、ファン組立体１０００は、次いで、第１の空気出口１３１０ａ、１３１０ｂおよび第２の空気出口１３２０の一方または両方に主空気流を差し向けるように構成された弁１４００を含む。そうするために、弁１４００は、１対の弁部材１４１０ａ、１４１０ｂを含み、１対の弁部材１４１０ａ、１４１０ｂは、１対の弁部材１４１０ａ、１４１０ｂの位置に応じて第１の空気出口１３１０ａ、１３１０ｂおよび第２の空気出口１３２０の一方または両方に主空気流を差し向けるように構成されている。各弁部材１４１０ａ、１４１０ｂは、したがって、弁部材が主空気流を１対の第１の空気出口１３１０ａ、１３１０ｂの対応する１つに差し向け、かつ、主空気流が第２の空気出口１３２０に到達するのを防止する／妨げる第１の端位置と、弁部材が主空気流を第２の空気出口１３２０に差し向け、かつ、主空気流が対応する第１の空気出口１３１０ａ、１３１０に到達するのを防止する／妨げる第２の端位置との間で移動可能であるように構成されている。弁部材１４１０ａ、１４１０ｂが、第１の端位置と第２の端位置の間に位置するときに、弁部材は、主空気流の第１の部分を第１の空気出口１３１０ａ、１３１０ｂに差し向け、主空気流の第２の部分を第２の空気出口１３２０に差し向ける。弁部材１４１０ａ、１４１０ｂが第１の端位置に近ければ近いほど、それほどますます第１の空気出口１３１０ａ、１３１０ｂに差し向けられる第１の部分を含む主流体流の比率が大きくなる。逆に、弁部材１４１０ａ、１４１０ｂが第２の端位置に近ければ近いほど、それほどますます第２の空気出口１３２０に差し向けられる第２の部分を含む主流体流の比率が大きくなる。
【００６６】
図１−図５に示されている実施形態では、弁１４００は、ノズル１３００の内部通路１３３０内に設けられている。その結果、各弁部材１４１０ａ、１４１０ｂは、第１の端位置にあるときに、空気流が第２の空気流チャンネル１３２２に入るのを実質的に防止するように内部通路１３３０の残りの部分から第２の空気流チャンネル１３２２を閉鎖し、第２の端位置にあるときに、空気流が第１の空気流チャンネル１３１２ａ、１３１２ｂに入るのを実質的に防止するように内部通路１３３０の残りの部分から対応する第１の空気流チャンネル１３１２ａ、１３１２ｂを閉鎖するように構成されている。
【００６７】
各弁部材１４１０ａ、１４１０ｂは、したがって、第１の端位置で、第２の流体出口１３２０に隣接しているノズル１３００の内面およびバッフル１４２０の両方に対して当接し／封止され、それによって、内部通路１３３０の残りの部分から第２の空気流チャンネル１３２２の対応する入口部分を実質的に閉鎖するように構成されている。バッフル壁１４２０の前端上に設けられたガスケット１４２３は、弁部材１４１０ａ、１４１０ｂが第１の端位置にあるときに、弁部材１４１０ａ、１４１０ｂとバッフル１４２０の間のシールを改善する。各弁部材１４１０ａ、１４１０ｂはまた、第２の端位置で、第２の流体出口１３２０に隣接しているノズル１３００の内面およびバッフル１４２０の両方に対して当接し／封止され、それによって、図４に示されているように、内部通路１３３０の残りの部分から第２の空気流チャンネル１３２２の対応する入口部分を実質的に閉鎖するように構成されている。各弁部材１４１０ａ、１４１０ｂの形状は、したがって、内部通路１３３０の整合した部分の形状と実質的に対応／一致／相関している。ノズル１３００の分解図を提供する図８に示されているように、各弁部材１４１０ａ、１４１０ｂは、したがって、細長い部分および湾曲端を有する略Ｊ字形をしており、また、細長い部分および湾曲端を含む略Ｊ字形の横断面を有する。
【００６８】
弁部材１４１０ａ、１４１０ｂを第１の端位置から第２の端位置までの任意の位置に移動させるために、ファン組立体１０００は、主制御回路１１７０からの信号に応答して弁部材１４１０ａ、１４１０ｂの移動を生じさせるように構成された弁モータ１４３０を備える。図９に示されているように弁モータ１４３０は、湾曲したまたは円弧状のラック１４４０と係合するピニオン１４３１を回転させるように構成されており、弁モータ１４３０の回転は、ピニオン１４３１とラック１４４０の両方の回転を生じさせ、弁１４００は、ラック１４４０の回転が、弁部材１４１０ａ、１４１０ｂの移動を生じさせるように、構成されている。
【００６９】
図１−図１０Ｂに示されている実施形態では、弁モータ１４３０は、上側湾曲部分１３０３のピークまたは中央において内部通路１３３０内でバッフル壁１４２０上に取り付けられており、バッフル壁１４２０は、次いで、後側ケーシング部分１３８０に取り付けられている。弁モータ１４３０の回転シャフト１４３２は、次いで、後側ケーシング１３８０に向かって突出し、シャフト１４３２の回転軸線は、ボア／開口部１５００の中心軸線(X)と平行である。ピニオン１４３１は、回転シャフト１４３２上に取り付けられており、ピニオン１４３１の歯は、円弧状ラック１４４０に係合し、円弧状ラック１４４０の形状は、内部通路１３３０の上側湾曲部分の形状と実質的に対応／一致／相関している。
【００７０】
ノズル１３００は、細長い環状形状を有しているように、ラック１４４０は、小さい円弧の形状を有しており、ラック１４４０は、１８０°よりも小さい角度に対応する。特に、円弧状ラック１４４０は、ノズル１３００によって構成される内部通路１３３０の上側湾曲部分１３０３の大部分のまわりに延びるようになり、円弧状ラック１４４０の端は各々、ノズル１３００内に取り付けられるときに内部通路１３３０のそれぞれの細長い側部１３０１、１３０２と整合する。
【００７１】
上述したように、第１の空気流チャンネル１３１２ａ、１３１２ｂ内への入口、および、第２の空気流チャンネル１３２２の対応する入口部分は、互いに整合しており、ボア／開口部１５００の中心軸線(X)と平行である。その結果、弁部材１４１０ａ、１４１０ｂが、第１の端位置にあるときに第２の空気流チャンネル１３２２を閉鎖し、第２の端位置にあるときに第１の空気流チャンネル１３１２ａ、１３１２ｂを閉鎖するために、弁部材１４１０ａ、１４１０ｂは各々、ボア／開口部１５００の中心軸線(X)と実質的に平行な方向に移動するように構成されている。弁１４００は、したがって、ラック１４４０の回転が、ボア／開口部１５００の中心軸線(X)と実質的に平行な方向への弁部材１４１０ａ、１４１０ｂの移動に変換されるように、構成されている。ラック１４４０の回転をボア／開口部１５００の中心軸線(X)と実質的に平行な方向への弁部材１４１０ａ、１４１０ｂの移動に変換するために、図８に示されている円弧状ラック１４４０は、ボア／開口部１５００の中心軸線(X)と実質的に平行な方向にラック１４４０から突出する１対の面１４４１ａ、１４４１ｂを備え、これらの突出する面１４４１ａ、１４４１ｂの各々は、弧状ラック１４４０の湾曲を辿るように湾曲しており、ラック１４４０は、１対の面１４４１ａ、１４４１ｂが、ピニオン１４３１がラック１４４０に係合されるときにピニオン１４３１の両側に位置するように構成されている。これらの突出する面１４４１ａ、１４４１ｂの各々は、次いで、ラック１４４０の回転軸線に対して約４５°の角度をなして湾曲面を横切って延び、対応する弁部材１４１０ａ、１４１０ｂから突出するフォロワピン１４１１ａ、１４１１ｂよって係合されるように構成されたカムスロット１４４２ａ、１４４２ｂの形態のリニアカムを備え、カムスロット１４４２ａ、１４４２ｂは、同じ方向に角度付けされた突出する面の両方上に設けられている。
【００７２】
さらに、１対の弁アクチュエータの第１の弁アクチュエータ１４５０ａは、円弧状ラック１４４０の第１の端に回転自在に連結され／取り付けられており、１対の弁アクチュエータの第２の弁アクチュエータ１４５０ｂは、円弧状ラック１４４０の反対側の第２の端に回転自在に連結され／取り付けられている。各弁アクチュエータ１４５０ａ、１４５０ｂは、細長く（内部通路１３３０の細長い側部１３０１、１３０２に沿って延びるように構成され）、弁アクチュエータ１４５０ａ、１４５０ｂの上端に向かって設けられた上側カムスロット１４５１、および、弁アクチュエータ１４５０ａ、１４５０ｂの下端に向かって設けられた下側カムスロット１４５２を備える。上側カムスロット１４４２ａ、下側カムスロット１４４２ｂは、ボア１５０００の中心軸線(X)に対して約４５°の角度をなして対応する弁アクチュエータ１４５０ａ、１４５０ｂを横切って延びており、各々、対応する弁部材１４１０ａ、１４１０ｂから突出するフォロワピン１４１２、１４１３によって係合されるように構成されている。弁アクチュエータの第１の弁アクチュエータ１４５０ａ上のカムスロット１４５１ａ、１４５２ａは、カムスロットが弁アクチュエータ１４５０ａの後部から前部に延びるときに、上向きに角度付けされ、弁アクチュエータの第２の弁アクチュエータ１４５０ｂ上のカムスロット１４５１ｂ、１４５２ｂは、カムスロットが弁アクチュエータ１４５０ｂの後部から前部に延びるときに、下向きに角度付けされる。
【００７３】
各弁部材１４１０ａ、１４１０ｂは、したがって、ラック１４４０の対応する部分上に設けられたカムスロット１４４２と係合し、それぞれ、対応する弁アクチュエータ１４５０ａ、１４５０ｂ上に設けられた上側カムスロット１４５１、下側カムスロット１４５２と係合するように構成された３つのフォロワピン１４１１，１４１２，１４１３を含む。
【００７４】
弁部材１４１０ａ、１４１０ｂを第１の端位置から第２の端位置までの任意の位置に移動させるために、主制御回路１１７０は、弁モータ１４３０に、モータにシャフト１４３２を１方向または他方向に回転させ、それによって、シャフト１４３２上に設けられたピニオン１４３１の回転を生じさせる信号を送る。したがって、ピニオン１４３１が弧状ラック１４４０と係合することにより、ラック１４４０は、シャフト１４３２と同じ方向に回転される。したがって、円弧状ラック１４４０の回転により、ラック１４４０から突出する湾曲面１４４１ａ、１４４１ｂ上に設けられたカムスロット１４４２が、カムスロット内に係合されている対応する弁部材１４１０ａ、１４１０ｂのフォロワピン１４１１に対して移動され、カムスロット１４４２ａ、１４４２ｂの角度が、弧状ラック１４４０の回転運動を、ボア１５０００の中心軸線(X)と平行な方向への弁部材１４１０ａ、１４１０ｂの直線運動に変換する。特に、円弧状ラック１４４０の回転は、突出する面１４４１ａ、１４４１ｂを同じ方向に回転させる。これに関連して、ラック１４４０から突出する面１４４１ａ、１４４１ｂ上に設けられたカムスロット１４４２ａ、１４４２ｂが同じ方向に角度付けられているときに、同じ方向への湾曲面１４４１ａ、１４４１ｂの回転は、第１の弁部材１４１０ａ、および、第２の１４１０ｂの同じ方向への水平方向運動に変換される。
【００７５】
さらに、円弧状ラック１４４０の回転は、円弧状ラック１４４０の第１の端および第２の端の鉛直方向変位を生じさせ、次いで、円弧状ラック１４４０の第１の端および第２の端の鉛直方向変位は、ラック１４４０の端に回転自在に連結されている弁アクチュエーアを鉛直方向に変位させる。特に、円弧状ラック１４４０の回転は、円弧状ラック１４４０の第１の端および第２の端の一方および連結されている弁アクチュエータ１４５０ａ、１４５０ｂの上向きの移動を生じさせ、円弧状ラック１４４０の第１の端および第２の端の他方および連結されている弁アクチュエータ１４５０ａ、１４５０ｂの下向きの移動を生じさせる。弁アクチュエータ１４５０ａ、１４５０ｂの鉛直方向変位は、弁アクチュエータ１４５０ａ、１４５０ｂ上に設けられた角度付けされたカムスロット１４５１、１４５２を、対応する弁部材１４１０ａ、１４１０ｂのそれぞれのカムフォロワ１４１２、１４１３に対して移動させ、カムスロット１４５１、１４５２の角度は、弁アクチュエータ１４５０ａ、１４５０ｂの鉛直方向変位を、ボア１５０００の中心軸線(X)と平行な方向への弁部材１４１０ａ、１４１０ｂの水平方向移動に変換する。これに関連して、第１の弁アクチュエータ１４５０ａ上に設けられたカムスロット１４５１ａ、１４５２ｂが、第２の弁アクチュエータ１４５０ｂ上に設けられたカムスロットと反対方向に角度付けされているときに、第１の弁アクチュエータ１４５０ａおよび第２の弁アクチュエータ１４５０ｂの対向する鉛直方向の変位は、第１の弁部材１４１０ａ、および、第２の１４１０ｂの同じ方向への水平方向運動に変換される。
【００７６】
ファン組立体１０００を作動させるために、使用者は、使用者インターフェース上のボタンを押す。使用者インターフェースは、ファン組立体１０００自身上に、関連したリモコン（図示せず）上に、および／または、ファン組立体１０００と無線的に通信するタブレットまたはスマートフォンのような無線コンピュータ装置上に設けられるのがよい。使用者によるこの動作は、主制御回路１１７０に通信され、これに応答して、主制御回路１１７０は、ファンモータ１１５２を付勢させ、羽根車１１５０を回転させる。羽根車１１５０の回転は、浄化組立体を介して空気入口１１１０を通して本体１１００内に主空気流を引き込ませる。使用者は、使用者インターフェースを操作することによって、ファンモータ１１５２の速度、したがって、空気入口１１１０を通して本体１１００内に引き込まれる空気の流量を制御することができる。主空気流は、順次、浄化組立体１２００、空気入口１１００、羽根車ハウジング１１５４、主本体部分１１２０の開放上端の空気ベント１１１５を通過して、ノズル１３００のベース１３５０に位置する空気入口１３４０を経てノズル１３００の内部通路１３３０に入る。
【００７７】
内部通路１３３０内で、主空気流は、２つの空気流に分割され、２つの空気流は、各々内部通路１３３０のそれぞれの直線状部分１３０１、１３０２内で、ノズル１３００の周りを反対角度方向に通過する。空気流が内部通路１３３０を通過するときに、空気は、弁部材１４１０ａ、１４１０ｂの位置に応じて、第１の空気出口１３１０ａ、１３１０ｂおよび第２の空気出口１３２０の一方または両方を通して放出される。
【００７８】
図１−図１０Ｂに示されている実施形態では、内部通路１３３０に設けられた弁部材１４１０ａ、１４１０ｂの両方が第１の端位置にあるときに、弁部材１４１０ａ、１４１０ｂの略Ｊ字形横断面部分の細長い部分は、バッフル壁１４２０の前端上に設けられたガスケット１４２３と接触するようになり、弁部材１４１０ａ、１４１０ｂの略Ｊ字形横断面部分の湾曲部分は、外側ケーシング部分１３６０の内面の重なる部分と接触するようになる。弁部材１４１０ａ、１４１０ｂは、したがって、空気流が第２の空気流チャンネル１３２２に入ることを実質的に防止するように内部通路１３３０の残りの部分から第２の空気流チャンネル１３２２内への入口を実質的に閉鎖し、したがって、主空気流全体を第１の空気流出口１３１０ａ、１３１０ｂに差し向けるようになる。内部通路１３３０に設けられた弁部材１４１０ａ、１４１０ｂの両方が第２の端位置にあるときに、弁部材１４１０ａ、１４１０ｂの略Ｊ字形横断面部分の細長い部分は、対応するヒータ組立体１３９０ａ、１３９０ｂのフレーム１３９２の内周／縁と接触するようになる。弁部材１４１０ａ、１４１０ｂは、したがって、内部通路１３３０の残りの部分から第１の空気流チャンネル１３１２ａ、１３１２ｂ内への入口を実質的に閉鎖し、したがって、主空気流全体を第２の空気流出口１３２０に差し向けるようになる。内部通路１３３０に設けられた弁部材１４１０ａ、１４１０ｂの両方が第１の端位置と第２の端位置の間に位置するときに、第１の空気流チャンネル１３１２ａ、１３１２０ｂおよび第２の空気流チャンネル１３２０は、内部通路１３３０の残りの部分に開放するようになり、主空気流の第１の部分は、第１の空気流出口１３１０ａ、１３１０ｂに差し向けられ、主空気流の第２の部分は、第２の空気流出口１３２０に差し向けられる。
【００７９】
ノズル１３００によって構成される開口部／ボア１５００の中心軸線(X)と実質的に平行な方向に第１の空気出口１３１０ａ、１３１０ｂから主空気流または主空気流の一部を放出することは、外部環境からの、特にノズル１３００のまわりの領域からの空気の連行によって二次的空気流が発生される。二次的空気流は、第１の空気流出口１３１０ａ、１３１０ｂから放出される主空気流と組み合わさって、ノズル１３００から前方に投射される組み合わされた増幅された空気流を生成する。対照的に、主空気流が実質的にファン組立体１０００から離れる方に放射／開出するように第２の空気出口１３２０から主空気流が放出されることは、この空気流がファン組立体１０００の外側から、ノズル１３００によって構成される開口部／ボア１５００を通して空気を引き込むことを防止し、それによって、非増幅空気流を生成する。
【００８０】
図９Ａおよび図９Ｂは、自立環境制御ファン組立体１０００の第２の実施形態のノズル１３００の外部図であり、図１０Ａおよび図１０Ｂは、図９Ａの線Ａ−Ａにおける断面図である。この第２の実施形態では、ファン組立体１０００の本体１１００は、第１の実施形態のファン組立体の本体と実質的に同じであり、したがって、これ以上図示も説明もされていない。さらに、この第２の実施形態のノズル１３００もまた、第１の実施形態のノズル１３００と実質的に同じであり、したがって、対応する参照番号が、これらの実施形態の対応する若しくは同じ部品または特徴のために使用されている。
【００８１】
この第２の実施形態では、ノズル１３００は、主空気流が本体１１００から出る空気ベント１１１５上で主本体部分１１２０の上端上に取り付けられている。第１の実施形態と同様に、ノズル１３００は、主本体部分１１２０の上端に連結しており、本体１１００から主空気流を受け入れるための空気入口１３４０を提供する開放した下端を有するネック／ベース１３５０を含む。ノズル１３００のベース１３５０の外面は、次いで、主本体部分１１２０の上側環状フランジ１１２１の外縁と実質的に面一である。
【００８２】
第１の実施形態と第２の実施形態との唯一の重要な違いは、第２の実施形態が、第１の空気出口１３１０ａ、１３１０ｂに隣接して内部通路１３３０内にヒータ組立体１３９０ａ、１３９０ｂを含まないことである。その結果、第２の実施形態のファン組立体１０００は、第１の空気出口１３１０ａ、１３１０ｂに向かって漏斗状に主空気流を導き、したがって、ノズル１３００の内部通路１３３０内で第１の空気流チャンネル１３１２ａ、１３１２ｂを構成するヒータ組立体１３９０ａ、１３９０ｂのフレームを含まない。対照的に、第２の実施形態のファン組立体１０００は、内部通路１３３０内に取り付けられたといきに、対応する第１の空気出口１３１０ａ、１３１０ｂから外に空気流を差し向けるように構成された１つまたはそれ以上の空気流案内部材１３３１ａ、１３３１ｂを含む。
【００８３】
そうするために、各空気流案内部材１３３１ａ、１３３１ｂは、ノズル１３００の前方に向かう縁部に設けられた対応する第１の空気出口１３１０ａ、１３１０ｂ内に嵌合され、したがって、第１の空気出口１３１０ａ、１３１０ｂのダクト１３１１を形成する前端、および、この前端に対して角度付けされた後面を備える。各空気流案内部材１３３１ａ、１３３１ｂの角度付けされた後面は、したがって、対応する第１の空気出口１３１０ａ、１３１０ｂ、および、空気流案内部材１３３１ａ、１３３１ｂの前端によって提供される第１の空気出口１３１０ａ、１３１０ｂのダクト１３１１に向けて空気流を漏斗状に導く。ノズル１３００内の内部通路１３３９内の第１の空気流チャンネル１３１２ａ、１３１２ｂは、したがって、少なくとも部分的にそれぞれの空気流案内部材１３３１ａ、１３３１ｂによって構成されている。弁１４００は、したがって、第２の端位置で、対応する空気流案内部材１３３１ａ、１３３１ｂの角度付けされた面、および、対応する弁アクチュエータ１４５０ａ、１４５０ｂの面に対して当接／封止されように構成されており、弁アクチュエータ１４５０ａ、１４５０ｂは、外側ケーシング１３６０の内面に隣接して内部通路１３３０内に位置し、それによって、図１０Ａに示されているように、内部通路１３３０の残りの部分から第１の空気流チャンネル１３１２、１３１２ｂを実質的に閉鎖する。さらに、弁１４００は、第１の端位置で、弁部材１４１０ａ、１４１０ｂが、バッフル壁１４２０の前端、および、第２の空気出口１３２０に隣接している対応する弁アクチュエータ１４５０ａ、１４５０ｂの面の両方に対して当接／封止されるように構成され、それによって、図１０Ｂに示されているように、内部通路１３３０の残りの部分から第２の空気流チャンネル１３２２を実質的に閉鎖する。
【００８４】
第１の実施形態と第２の実施形態とのもう１つの違いは、第２の実施形態では、円弧状ラック１４４０が、ボア１５００の中心軸線(X)と実質的に平行な方向にラック１４４０から突出する１対の面１４４１ａ、１４４１ｂを備えないことである。図１２に示されているように、第２の実施形態では、円弧状ラック１４４０は、ボア１５００の中心軸線(X)と実質的に平行な方向にラック１４４０から突出し、円弧状ラック１４４０の長さに沿って延びる単一の面１４４１を備える。この突出する面１４４１は、次いで、各々がラック１４４０の回転軸線に対して約４５°の角度をなして湾曲面を横切って延びるカムスロット１４４２ａ、１４４２ｂの形態のリニアカムを備え、ラック１４４０は、ピニオン１４３１が、ラック１４４０に係合されるときに、カムスロット１４４２ａ、１４４２ｂがピニオン１４３１の両側に位置するように構成されている。カムスロット１４４２ａ、１４４２ｂは各々、対応する弁部材１４１０ａ、１４１０ｂから突出するフォロワピン１４１１ａ、１４１１ｂによって係合されるように構成されており、カムスロット１４４２ａ、１４４２ｂは、同じ方向に角度付けされている。
【００８５】
１対の弁アクチュエータの第１の弁アクチュエータ１４５０ａは、円弧状ラック１４４０の第１の端に回転自在に連結され／取り付けられており、１対の弁アクチュエータの第２の弁アクチュエータ１４５０ｂは、円弧状ラック１４４０の反対側の第２の端に回転自在に連結され／取り付けられている。各弁アクチュエータ１４５０ａ、１４５０ｂは、細長く（内部通路１３３０の細長い側部１３０１、１３０２に沿って延びるように構成され）、弁アクチュエータ１４５０ａ、１４５０ｂの上端に向かって設けられた上側カムスロット１４５１と、弁アクチュエータ１４５０ａ、１４５０ｂの下端に向かって設けられた下側カムスロット１４５２と、弁アクチュエータ１４５０ａ、１４５０ｂの中間に向かって設けられた中間カムスロット１４５３と、を備える。上側カムスロット１４５１、下側カムスロット１４５２、および、中間カムスロット１４５３は、ボア１５００の中心軸線(X)に対して約４５°の角度をなして対応する弁アクチュエータ１４５０ａ、１４５０ｂを横切って延びており、各々、対応する弁部材１４１０ａ、１４１０ｂから突出するフォロワピン１４１２、１４１３、１４１４によって係合されるように構成されている。弁アクチュエータの第１の弁アクチュエータ１４５０ａ上のカムスロット１４５１ａ、１４５２ａ１４５３ａは、カムスロットが弁アクチュエータ１４５０ａの後部から前部に延びるときに、上向きに角度付けされ、弁アクチュエータの第２の弁アクチュエータ１４５０ｂ上のカムスロット１４５１ｂ、１４５２ｂ、１４５３ｂは、カムスロットが弁アクチュエータ１４５０ｂの後部から前部に延びるときに、下向きに角度付けされる。
【００８６】
各弁部材１４１０ａ、１４１０ｂは、したがって、ラック１４４０の対応する部分上に設けられたカムスロット１４４２と係合し、それぞれ、対応する弁アクチュエータ１４５０ａ、１４５０ｂ上に設けられた上側カムスロット１４５１、下側カムスロット１４５２、および、中間カムスロット１４５３と係合するように構成された４つのフォロワピン１４１１、１４１２、１４１３、１４１４を含む。
【００８７】
第２の実施形態の弁部材１４１０ａ、１４１０ｂの移動を含む作動は、第１の実施形態のために上述された作動と実質的に同じ仕方で行われ、したがって、これ以上説明しない。
【００８８】
図１３Ａおよび図１３Ｂは、自立環境制御ファン組立体１０００の第３の実施形態のノズル２３００の外部図であり、図１４Ａおよび図１４Ｂは、図１３Ａの線Ａ−Ａにおける断面図である。この第３の実施形態では、ファン組立体１０００の本体１１００は、第１および第２の実施形態のファン組立体の本体と実質的に同じであり、したがって、これ以上図示も説明もされていない。しかしながら、細長い環状形状を有するのではなく、この第３の実施形態のノズル２３００は、ノズル２３００の構造に違いがあり、かつ、ノズル２３００の内部通路２３３０内に設けられる弁２４００に違いがあるように、形状が環状／円筒状である。
【００８９】
この第３の実施形態では、ノズル２３００は、主空気流が本体１１００から出る空気ベント１１１５上で主本体部分１１２０の上端上に取り付けられている。ノズル２３００は、主本体部分１１２０の上端に連結しており、本体１１００から主空気流を受け入れるための空気入口２３４０を提供する開放した下端を有するネック／ベース２３５０を含む。ノズル２３００のベース２３５０の外面は、次いで、主本体部分１１２０の上側環状フランジ１１２１の外縁と実質的に面一である。
【００９０】
図１３Ａ−図１６に示されている実施形態では、ノズル２３００は、したがって、環状／略円筒状内側ケーシング部分２３７０と同心状であり、この環状／略円筒状内側ケーシング部分２３７０のまわりに延びる環状／円筒状外側ケーシング部分２３６０を含む。この例では、内側ケーシング部分２３７０と外側ケーシング部分２３６０は、別体の構成要素である。しかしながら、これらの内側ケーシング部分および外側ケーシング部分は、単一部品として一体的に形成されてもよい。ノズル２３００はまた、ノズル２３００の後部を形成する湾曲した後側ケーシング部分２３８０を有し、湾曲した後側ケーシング部分２３８０の内側端は、内側ケーシング部分２３７０の後端に連結されている。この例では、内側ケーシング部分２３７０および湾曲した後側ケーシング部分２３８０は、例えば、ねじおよび／または接着材を使用して、互いに連結された別体の構成要素である。しかしながら、これらの内側ケーシング部分および湾曲した後側ケーシング部分もまた、単一部品として一体的に形成されてもよい。湾曲した後側ケーシング部分は、ノズル２３００の内側ボア２５００の中心軸線(X)と垂直な環状／円筒状横断面、および、ノズル２３００の内側ボア２５００の中心軸線(X)と平行な略半円形横断面を有する。
【００９１】
内側ケーシング部分２３７０は、ノズル２３００の内側ボア２５００の中心軸線(X)と垂直な環状／円筒状横断面を有し、ノズル２３００の内側ボア２５００のまわりに延び、ノズル２３００の内側ボア２５００を取り囲む。この例では、内側ケーシング部分２３７０は、後側部分２３７１、および、前側部分２３７２を有する。後側部分２３７１は、内側ボア２５００の中心軸線(X)から離れる方に内側ケーシング２３７０の後端から外方に角度をなしている。前側部分２３７２もまた、内側ボア２５００の中心軸線(X)から離れる方に内側ケーシング２３７０の後端から外方に角度をなしているが、その角度は、後側部分２３７１の角度よりも大きい。内側ケーシング部分２３７０の前側部分２３７２は、したがって、外側ケーシング２３６０の前端に向かってテーパしているが、外側ケーシング２３６０の前端とは出会わず、内側ケーシング部分２３７０の前端と外側ケーシング２３６０の前端の間の空間が、ノズル２３００の第１の空気出口２３１０を形成するスロットを構成する。
【００９２】
外側ケーシング部分２３６０は、次いで、ノズル２３００の前部から湾曲した後側ケーシング部分２３８０に向かって延びるが、湾曲した後側ケーシング部分２３８０とは出会わず、外側ケーシング部分２３６０の後端と湾曲した後側ケーシング部分２３８０の後端の間の空間は、ノズル２３００の第２の空気出口２３２０を形成するスロットを構成する。
【００９３】
外側ケーシング部分２３６０、内側ケーシング部分２３７０、および、湾曲した後側ケーシング部分２３８０は、したがって、ノズル２３００の空気入口２３４０から第１の空気入口２３１０および第２の空気出口２３２０の一方または両方に空気を搬送するための内部通路２３３０を構成する。換言すると、内部通路２３３０は、外側ケーシング部分２３６０、内側ケーシング部分２３７０、および、湾曲した後側ケーシング部分２３８０の内面によって境界決めされている。内部通路２３３０は、空気入口２３４０を通してノズル２３００に入る空気が、ノズル２３００に入り、各々がノズル２３００の内部通路２３００のまわりで反対方向に流れる２つの空気流れに分割されるときに、ボア２５００のまわりで各々が反対方向に延びる第１の部分および第２の部分を含むと考えることができる。
【００９４】
上述したように、第１の空気出口２３１０は、内側ケーシング部分２３７０の前端と外側ケーシング部分１２６０の間の空間によって構成されるスロットの形態を取る。ノズル２３００は、したがって、ノズル２３００の前方を向いた縁部に構成され、主空気流をノズル２３００の前部に向けて放出するために中央ボア２５００の周囲の大部分のまわりに延びる単一の第１の空気出口２３１０を含む。
【００９５】
第１の空気出口２３１０から放出される空気流がファン組立体１０００の外側から空気を引き込み、この空気と組み合わさって増幅空気流を生成するために、第１の空気出口２３１０、ノズル２３００によって構成される開口部／ボア２５００の中心軸線(X)と実質的に平行である方向に、すなわち、中心軸線から離れる方に-３０°〜+３０°の角度、好ましくは中心軸線から離れる方に-２０°〜+２０°の角度、より好ましくは中心軸線から離れる方に-１０°〜+１０°の角度の角度をなしている方向に、放出される空気流を差し向けるように構成されている。そうするために、第１の空気出口２３１０は、第１の空気出口２３１０のダクト２３１１が、ノズル２３００によって構成される開口部／ボア２５００の中心軸線(X)と実質的に平行であるように構成されている。内側ケーシング部材２３７０は、したがって、内側ケーシング部分２３７０の前端と外側ケーシング部分２３６０の前端の間の空間に直ぐに隣接している内側ケーシング部分２３７０の前端からノズル２３００の内部通路２３３０内に内向きに延びる突出部２３７３を備える。この内向きに延びる突出部２３７３は、したがって、外側ケーシング部分２３６０の対向する内面と共に、開口部／ボア２５００の中心軸線(X)と実質的に平行である第１の空気出口２３１０のダクト２３１１を構成する。次いで、内向きに延びる突出部２３７３の内側端から内側ケーシング部分２３７０の内面の隣接した部分まで延びる内側通路内に空気流案内部材２３３１が設けられている。この空気流案内部材２３３１は、したがって、主空気流を、第１の空気出口２３１０、および、内向きに延びる突出部２３７３によって部分的に構成される第１の空気出口２３１０のダクト２３１１に向けて差し向ける。ノズル２３００も内部通路２３３０内の第１の空気流チャンネル２３１２が、したがって、少なくとも部分的に空気流案内部材２３３１によって構成される。
【００９６】
第２の空気出口２３２０は、次いで、第２の空気出口２３２０のダクト２３２１が、ノズル２３００によって構成される開口部／ボア２５００の中心軸線(X)に対して実質的に垂直であるように構成されている。その結果、第２の空気出口から放出される非増幅空気流は、ノズル２３００によって構成される開口部／ボア２５００の中心軸線(X)から離れる方に実質的に垂直に差し向けられるようになる。図１４Ａおよび図１４Ｂに示されているように、第２の空気出口２３２０のダクト２３２１は、ボア２５００を通して引き込まれる空気の方向と実質的に垂直である方向に本体１１００から受け取られた主空気流をノズル２３００の外周に運ぶ内部通路２３３０から延びている。
【００９７】
図１４Ａおよび図１４Ｂに示されている実施形態では、第２の空気出口２３２０に向けて主空気流を差し向けるように構成された第２の空気流チャンネル２３２２を内部通路２３３０内に構成するバッフル２４２０が、内部通路内に設けられている。バッフル２４２０は、内部通路２３３０を少なくとも部分的に構成するノズル２３００の内面から内部通路２３３０内に延びており、第２の空気流チャンネル２３２２は、バッフル２４２０の一方の側にある内部通路２３３０の部分である。特に、第２の空気流チャンネル２３２２は、バッフル２４２０、および、第２の空気流チャンネル２３２２に隣接した部分であるノズル２３００の内面の部分によって境界決めされている内部通路２３３０の部分を含む。
【００９８】
バッフル２４２０は、湾曲した後側ケーシング部分２３８０から内部通路２３３０内に延びるバッフル壁によって提供される。バッフル壁２４２０は、湾曲した後側ケーシング部分２３８０の外側端に連結されており、前側部分２４２１および後側部分２４２２を有する。バッフル壁２４２０の後側部分２４２２は、湾曲した後側ケーシング部分２３８０の外側端からボア２５００の中心軸線(X)に向けて内方に角度付けされている。バッフル壁２４２０の前側部分２４２１は、次いで、この前側部分２４２１が外側ケーシング部分２３６０と平行であり、この前側部分２４２１の大部分が外側ケーシング部分２３６０と重なるように、後側部分２４２２に対して角度付けされている。バッフル壁２４２０の前側部分２４２１と外側ケーシング部分２３６０の重なる部分の間に位置する内部通路２３３０の部分は、したがって、内部通路２３３０内で第２の空気流チャンネル２３２２を形成し、バッフル壁２４２０の角度付けされた後側部分２４２２は、ノズル２３００によって構成される開口部／ボア２５００の中心軸線(X)に対して実質的に垂直である第２の空気出口２３２０のダクト２３２１を提供する。バッフル壁の前端２４２１および外側ケーシング部分２３６０の内面によって構成される、第２の空気流チャンネル２３２２内への空気入口は、ノズル２３００によって構成される開口部／ボア２５００の中心軸線(X)と実質的に平行である。
【００９９】
図１４Ａおよび図１４Ｂに示されている実施形態では、バッフル壁２４２０は、内部通路２３３０の大部分のまわりに延びている。バッフル壁２４２０の下端は、主空気流がこの下端を経て第２の空気流チャンネル２３２２に入ることができないように、バッフル壁２４２０の下端が内部通路２３３０の下側部分の内面に出会うように開口部／ボア２５００の中心軸線(X)から離れる方に角度付けされている。
【０１００】
この第３の実施形態では、ノズル２３００は、第１の空気出口２３１０および第２の空気出口２３２０の一方または両方に主空気流を差し向けるように構成された弁２４００を含む。そうするために、弁２４００は、単一の弁部材２４１０を含み、単一の弁部材２４１０は、弁部材の位置に応じて第１の空気出口２３１０および第２の空気出口２３２０の一方または両方に主空気流を差し向けるように構成されている。弁部材２４１０は、したがって、弁部材が主空気流を第１の空気出口２３１０に差し向け、かつ、主空気流が第２の空気出口２３２０に到達するのを防止する／妨げる第１の端位置と、弁部材が主空気流を第２の空気出口２３２０に差し向け、かつ、主空気流が第１の空気出口２３１０に到達するのを防止する／妨げる第２の端位置との間で移動可能であるように構成されている。弁部材２４１０が、第１の端位置と第２の端位置の間に位置するときに、弁部材は、主空気流の第１の部分を第１の空気出口２３１０に差し向け、主空気流の第２の部分を第２の空気出口１３２０に差し向ける。弁部材２４１０が第１の端位置に近ければ近いほど、それほどますます第１の空気出口２３１０に差し向けられる第１の部分を含む主流体流の比率が大きくなる。逆に、弁部材２４１０が第２の端位置に近ければ近いほど、それほどますます第２の空気出口２３２０に差し向けられる第２の部分を含む主流体流の比率が大きくなる。
【０１０１】
この第３の実施形態では、弁２４００は、ノズル２３００の内部通路２３３０内に設けられている。その結果、弁部材２４１０は、第１の端位置にあるときに、空気流が第２の空気流チャンネル２３２２に入るのを実質的に防止するように内部通路２３３０の残りの部分から第２の空気流チャンネル２３２２を閉鎖し、第２の端位置にあるときに、空気流が第１の空気流チャンネル２３１２に入るのを実質的に防止するように内部通路１３３０の残りの部分から対応する第１の空気流チャンネル２３１２を閉鎖するように構成されている。
【０１０２】
弁部材２４１０を第１の端位置から第２の端位置までの任意の位置に移動させるために、ファン組立体１０００は、主制御回路１１７０からの信号に応答して弁部材２４１０の移動を生じさせるように構成された弁モータ２４３０を備える。図１５に示されているように弁モータ２４３０は、湾曲したまたは円弧状のラック２４４０と係合するピニオン２４３１を回転させるように構成されており、弁モータ２４３０の回転は、ピニオン２４３１とラック１４４０の両方の回転を生じさせ、弁２４００は、ラック２４４０の回転が、弁部材２４１０の移動を生じさせるように、構成されている。
【０１０３】
弁モータ２４３０は、内部通路２３３０のピークまたは頂部において内部通路２３３０内でバッフル壁２４２０上に取り付けられており、バッフル壁２４２０は、次いで、後側ケーシング部分２３８０に取り付けられている。弁モータ２４３０の回転シャフト２４３２は、次いで、後側ケーシング２３８０に向かって突出し、シャフト２４３２の回転軸線は、ボア／開口部２５００の中心軸線(X)と平行である。ピニオン２４３１は、回転シャフト２４３２上に取り付けられており、ピニオン２４３１の歯は、円弧状ラック２４４０に係合し、円弧状ラック２４４０の形状は、内部通路２３３０の形状と実質的に対応／一致／相関している。
【０１０４】
ノズル２３００が、形状が環状／円筒状であるように、ラック２４４０は、大きい円弧の形状を有しており、ラック２４４０は、１８０°よりも大きい角度に対応する。特に、弧状のラック２４４０は、ノズル２３００によって構成される内部通路１３３０の大部分のまわりに延びるようになり、円弧状ラック２４４０の端の間の空間は、ノズル２３００内に取り付けられるときに空気入口２３４０と整合する。
【０１０５】
第１の空気流チャンネル２３１２内への入口、および、第２の空気流チャンネル２３２２の口部分は、互いに整合しており、ボア／開口部２５００の中心軸線(X)と実質的に平行である。その結果、弁部材２４１０が、第１の端位置にあるときに第２の空気流チャンネル２３２２を閉鎖し、第２の端位置にあるときに第１の空気流チャンネル２３１２を閉鎖するために、弁部材２４１０は、ボア／開口部２５００の中心軸線(X)と実質的に平行な方向に移動するように構成されている。弁２４００は、したがって、ラック２４４０の回転が、ボア／開口部２５００の中心軸線(X)と実質的に平行な方向への弁部材２４１０の移動に変換されるように、構成されている。
【０１０６】
ラック２４４０の回転をボア／開口部２５００の中心軸線(X)と実質的に平行な方向への弁部材２４１０の移動に変換するために、図１５および図１６に示されている円弧状ラック２４００は、ボア／開口部２５００の中心軸線(X)と実質的に平行な方向にラック２４４０から突出し、円弧状ラック１４４０の長さに沿って延びる単一の面２４４１を備える。この突出する面１４４１は、次いで、円弧状ラック２４４０の長さのまわりに一様に分配された５つのリニアカムを備え、各々のリニアカムは、円弧状ラック２４４０の回転軸線に対して約４５°の角度をなして湾曲面を横切って延びるカムスロット２４４２ａ−ｅの形態である。この第３の実施形態では、ラック２４４０は、５つのカムスロットの１つカムスロット２４４２ａは、空気出口２３４０の反対側にあり、ピニオン２４３１がラック２４４０に係合する位置に隣接した、ラック２４４０の長さに沿った中央箇所に位置している。４つの別のカムスロット２４４２ｂ、２４４２ｃ、２４４２ｄ、２４４２ｅは、ピニオン２４３１がラック２４４０に係合されるときに、２つのカムスロットがピニオン２４３１の各側にあるように、２つのカムスロットがラック２４４０の各半部上に位置するように中央のカムスロット２４４２ａの両側に分配されている。カムスロット２４４２ａ−ｅは各々、弁部材２４１０から突出する対応するフォロワピン２４１１ａ−ｅによって係合されるように構成されている。
【０１０７】
弁部材２４１０を第１の端位置から第２の端位置までの任意の位置に移動させるために、主制御回路１１７０は、弁モータ２４３０に、モータにシャフト２４３２を１方向または他方向に回転させ、それによって、シャフト２４３２上に設けられたピニオン２４３１の回転を生じさせる信号を送る。したがって、ピニオン２４３１が円弧状ラック２４４０と係合することにより、ラック２４４０は、シャフト２４３２と同じ方向に回転される。したがって、円弧状ラック２４４０の回転により、ラック２４４０から突出する湾曲面２４４１上に設けられたカムスロット２４４２ａ−ｅが、カムスロット内に係合されている対応する弁部材２４１０フォロワピン１４１１ａ−ｅに対して移動され、カムスロット１４４２ａ−ｅの角度が、円弧状ラック２４４０の回転運動を、ボア２５００の中心軸線(X)と平行な方向への弁部材２４１０の直線運動に変換する。
【０１０８】
弁２４００は、したがって、第２の端位置で、弁部材２４１０が空気流案内部材２３３１の面、および、外側ケーシング２３６０の内面に隣接して内部通路２３３０内に位置する円弧状ラック２４４０の面に対して当接し／封止され、それによって、図１４Ａに示されているように、内部通路２３３０の残りの部分から第１の空気流チャンネル２３１２を閉鎖するように構成されている。さらに、弁２４００は、第１の端位置で、弁部材２４１０が、第２の流体出口２３２０に隣接しているノズル２３００の内面およびバッフル２４２０の両方に対して当接し／封止され、それによって、図１４Ｂに示されているように、内部通路２３３０の残りの部分から第２の空気流チャンネル２３２２の入口部分を実質的に閉鎖するように構成されている。
【０１０９】
内部通路２３３０に設けられた弁部材２４１０が第１の端位置と第２の端位置の間に位置するときに、弁部材２４１０は、主空気流の第１の部分を第１の空気出口２３１０に差し向け、主空気流の第２の部分を第２の空気出口２３２０に差し向ける。弁部材２４１０が第１の端位置に近ければ近いほど、それほどますます第１の空気出口２３１０に差し向けられる第１の部分を含む主流体流の比率が大きくなる。逆に、弁部材２４１０が第２の端位置に近ければ近いほど、それほどますます第２の空気出口２３２０に差し向けられる第２の部分を含む主流体流の比率が大きくなる。
【０１１０】
ノズル２３００によって構成される開口部／ボア２５００の中心軸線(X)と実質的に平行な方向に第１の空気出口２３１０から主空気流または主空気流の一部を放出することは、外部環境からの、特にノズル２３００のまわりの領域からの空気の連行によって二次的空気流が発生される。二次的空気流は、第１の空気出口２３１０から放出される主空気流と組み合わさって、ノズル２３００から前方に投射される組み合わされた増幅された空気流を生成する。対照的に、主空気流が実質的にファン組立体１０００から離れる方に放射／開出するように第２の空気出口２３２０から主空気流が放出されることは、この空気流がファン組立体１０００の外側からノズル２３００によって構成される開口部／ボア２５００を通して空気を引き込むことを防止し、それによって、非増幅空気流を生成する。
【０１１１】
本願に記載されているファン組立体は、したがって、増幅空気流、あるいは、非増幅空気流、あるいは、増幅空気流と非増幅空気流の両方を送出することができ、そうする際に、ファン組立体の使用者に、ファン組立体によっていかなる空気が送出されるかについての種々の選択肢を与えることができる。これは、ファン組立体の使用者が、増幅空気流を提供することによって生成される冷却効果なくして、ファン組立体の使用者が浄化された空気を受け取り続けることを望むときに、ファン組立体が浄化された空気を提供するように構成されているときに、特に有用である。例えば、これは、使用者が、温度が低すぎて、増幅空気流によって提供される冷却効果を利用することができないと考える冬の場合がそうであり得る。同様に、ファン組立体が加熱された空気を提供するように構成されている場合には、ファン組立体の使用者は、集中された増幅空気流に対する必要なくして、非方向性の、非増幅空気流が第２の空気出口から送出されて、ファン組立体から浄化された空気を受け取り続けることを望むことがあり得る。
【０１１２】
例えば、使用者が、増幅空気流を提供することによって生成される冷却効果なくして、ファン組立体の使用者が浄化された空気を受け取り続けることを望む場合に、使用者は、使用者インターフェースを操作することによって空気送出モードを制御することができる。これらの使用者入力に応答して、主制御回路は、次いで、１つまたはそれ以上の弁部材に空気流が１つまたはそれ以上の第１の空気出口に到達することを防止させまたは妨げさせ、それによって、主空気流の全体が１つまたはそれ以上の第２の空気出口を通して外に差し向けられるようにするであろう。ファン組立体は、そのとき、非増幅空気流だけを生成するであろう。代替的には、使用者は、増幅空気流を提供することによって生成される冷却効果を部分的にだけ減少させたいと望むこともあり得る。この場合には、使用者入力は、主制御回路に、１つまたはそれ以上の第１の空気出口に差し向けられる主空気流の比率を減少させる一方で、１つまたはそれ以上の第２の空気出口に差し向けられる主空気流の比率を増加させるように弁部材を移動させるように主制御回路に指令を与えるであろう。
【０１１３】
さらには、上記の実施形態では、ファン組立体の１つまたはそれ以上の第２の空気出口は、ノズルによって構成されるボアの中心軸線から離れる方に実質的に垂直に放射／開出するように非増幅空気流を差し向けるように構成されている。これらの実施形態はまた、したがって、非増幅空気流が拡散的に放出され、それによって、使用者に主空気流を間接的に送出することができるようにしている。対照的に、ファン組立体の１つまたはそれ以上の第１の空気出口は、放出される空気流を、ノズルによって構成されるボアの中心軸線と実質的に平行な方向に差し向けるように構成されており、それによって、使用者に、増幅された空気流のより直接的な集中された送出を可能にするようにしている。１つまたはそれ以上の第２の空気出口による非増幅空気流のより拡散的な送出が、集中された増幅空気流を提供することによって生成される冷却効果をさらに最小にするように望ましいこともあり得る。
【０１１４】
上述された個々のアイテムは、それら自身上で、あるいは、図面に示され、または、明細書にきさいされた他のアイテムと組み合わされて使用されることができ、互いに同じ文章で、または、互いに同じ図面で言及されているアイテムが、互いと組み合わされて使用される必要がないことが理解されるであろう。さらに、表現「手段」は、所望されるように、アクチュエータ、または、システム、または、装置(device)に置き換えることができる。さらに、「含む(comprising)」または「からなる(consisting)」に対するいかなる言及も、いかなる仕方でも制限的であることを意図せず、読者は、明細書および特許請求の範囲をそれにしたがって解釈すべきである。
【０１１５】
さらに、本発明は、上述されているように好ましい実施形態に関して説明してきたけれども、これらの実施形態は例示にすぎないことを理解すべきである。当業者は、本願の開示に鑑みて、添付の特許請求の範囲に入ると考えられる変更および代替を行うことができるであろう。例えば、当業者は、上記の発明が、自立ファン組立体だけでなく、他のタイプの環境制御ファン組立体に等しく適用可能であることを理解するであろう。例として、ファン組立体は、自立ファン組立体、天井または壁取り付けファン組立体、および、車内ファン組立体のいずれでもあり得る。
【０１１６】
さらなる例として、上記の実施形態はすべて、ノズルが、第２の空気出口を含むものであるけれども、第２の空気出口は、ファン組立体の本体／スタンド上、あるいは、ファン組立体の本体／スタンドに連結するノズルのネックに設け、弁が、それにしたがって空気流を差し向けるように構成されてもよい。
【０１１７】
さらに別の例として、図１−図１０Ｂに示されている第１の実施形態は、第１の空気流チャンネル内に、主空気流が第１の空気流チャンネルを通過して第１の空気出口に行くときに主空気流を加熱するように構成されたヒータ組立体を含むけれども、本願で記載されているファン組立体は、代替的に、あるいは、追加的に、主空気流が第２の空気流チャンネルを通過して第２の空気出口に行くときに主空気流を加熱するように構成されたヒータ組立体を備えてもよい。
【０１１８】
さらに、上記の実施形態はすべて、弁の弁部材の移動を駆動するために弁モータを含むけれども、本願に記載されているノズルは、代替的には、弁部材の移動を駆動するために、使用者による力の印加が弁部材の移動に変換される手動の機構を含んでもよい。例えば、これは、使用者によるダイアルの回転またはスライドがシャフト、ピニオンおよびラックの回転を生じさせる、回転可能なダイアル、若しくはホイール、または、スライドするダイアル若しくはスイッチの形態を取ってもよい。
【０１１９】
さらに、上記の実施形態から、ファン組立体は、１つまたはそれ以上の第１の空気出口、および／または、１つまたはそれ以上の第２の空気出口を有してもよいことは明らかである。ファン組立体が、２つ以上の第１の空気出口、および／または、２つ以上の第２の空気出口を含む場合には、ファン組立体は、第１の空気出口および第２の空気出口の一方または両方に主空気流を差し向けるための単一の弁部材を含んでもよく、あるいは、複数の弁部材であって、第１の空気出口および第２の空気出口の一方または両方に主空気流をこれらの間で差し向けるための複数の弁部材を含んでもよい。例えば、ファン組立体は、第１の空気出口の各々、および／または、第２の空気出口の各々に対応する弁部材を含んでもよい。
【符号の説明】
【０１２０】
１０００    ファン組立体
１３００    ノズル
１３１０    第１の空気出口
１３２０    第２の空気出口
１４００    弁
１５００    ボア
２３００    ノズル
２３１０    第１の空気出口
２３２０    第２の空気出口
２４００    弁
２５００    ボア
【図１Ａ】
2019100341.tif 000003
【図１Ｂ】
2019100341.tif 000004
【図２】
2019100341.tif 000005
【図３】
2019100341.tif 000006
【図４】
2019100341.tif 000007
【図５】
2019100341.tif 000008
【図６Ａ】
2019100341.tif 000009
【図６Ｂ】
2019100341.tif 000010
【図７】
2019100341.tif 000011
【図８】
2019100341.tif 000012
【図９Ａ】
2019100341.tif 000013
【図９Ｂ】
2019100341.tif 000014
【図１０Ａ】
2019100341.tif 000015
【図１０Ｂ】
2019100341.tif 000016
【図１１】
2019100341.tif 000017
【図１２】
2019100341.tif 000018
【図１３Ａ】
2019100341.tif 000019
【図１３Ｂ】
2019100341.tif 000020
【図１４Ａ】
2019100341.tif 000021
【図１４Ｂ】
2019100341.tif 000022
【図１５】
2019100341.tif 000023
【図１６】
2019100341.tif 000024
【手続補正書】
【提出日】平成30年12月7日(2018.12.7)
【手続補正１】
【補正対象書類名】明細書
【補正対象項目名】０００１
【補正方法】変更
【補正の内容】
【０００１】
本発明は、ファン組立体、および、ファン組立体のためのノズルに関する。
【手続補正２】
【補正対象書類名】明細書
【補正対象項目名】００３２
【補正方法】変更
【補正の内容】
【００３２】
ファン組立体１０００は、空気入口１１１０を含む本体またはスタンド１１００であって、主空気流が、空気入口１１１０を通って、本体またはスタンド１１００と、空気入口１１１０上で本体１１００上に取り付けられた少なくとも１つの浄化フィルタ組立体１２００と、空気ベント／開口部１１１５に取り付けられたノズルと、を含み、主空気流は、空気ベント／開口部１１１５を通して、本体１１００を出る。ノズル１３００は、ファン組立体１０００から主空気流を放出するための第１の空気出口１３１０と、ファン組立体１０００から主空気流を放出するための第２の空気出口１３２０と、弁１４００と、を含み、弁１４００は、弁１４００の弁部材１４１０の位置に応じて第１の空気出口１３１０および第２の空気出口１３２０の一方または両方に主空気流を差し向けるように構成されている。
【手続補正３】
【補正対象書類名】明細書
【補正対象項目名】００４０
【補正方法】変更
【補正の内容】
【００４０】
第１および第２のフランジ１２１１、１２１２と第１および第２の側方フランジとの間の領域を横切って延びる凸形の外面上に支持される。図示されている実施形態では、各フィルタ組立体１２００ａ、１２００ｂは、フィルタフレーム１２１０の外面上に取り付けられた外側メッシュ層１２２２で覆われた粒子状フィルタ媒体層１２２１を含む。随意には、１つまたはそれ以上の別のフィルタ媒体が、次いで、フィルタフレーム１２１０の凹形の内面内に位置してもよい。例えば、これらの別のフィルタ媒体は、第２の化学的フィルタ媒体層によって覆われた第１の化学的フィルタ媒体層を含むのがよく、第１の化学的フィルタ媒体層および第２の化学的フィルタ媒体層は共にフィルタフレーム１２１０の内面内に位置する。これらの別のフィルタ媒体は、フィルタフレーム１２１０の凹形の内面に取り付けられ、かつ／または、フィルタフレーム１２１０の凹形の内面上に支持されるのがよく、あるいは、代替的には、主本体部分１１２０上に取り付けられ、各フィルタ組立体１２００ａ、１２００ｂの下で主本部分１１２０の下側環状フランジ１１２１上に載ってもよい。いずれの場合においても、フィルタフレーム１２１０は、フィルタフレーム１２１０の凹形の内面内に空間を構成するように形成されることとなり、フィルタフレーム１２１０の凹形の内面内で、これらのフィルタ媒体は、フィルタ組立体１２００が主本体部分１１２０上に取り付けられるときに、フィルタフレーム１２１０の凹形の内面内に収容されることができるようになる。
【手続補正４】
【補正対象書類名】明細書
【補正対象項目名】００４８
【補正方法】変更
【補正の内容】
【００４８】
モータバケット１１５３は、主本体部分１１２０内に取り付けられた羽根車ハウジング１１５４内に配置され、この羽根車ハウジング１１５４上に取り付けられている。羽根車ハウジング１１５４は、略截頭円錐形羽根車壁１１５４ａと、羽根車壁１１５４ａ内に配置された羽根車シュラウド１１５４ｂと、を含む。羽根車１１５０、羽根車壁１１５４ａ、および、羽根車シュラウド１１５４ｂは、羽根車１１５０が、羽根車シュラウド１１５４ｂに近接しているが、羽根車シュラウド１１５４ｂに接触しないように形状決めされている。実質的に環状の入口部材１１５５が、次いで、羽根車ハウジング１１５４内に主空気流を案内するために羽根車ハウジング１１５４に連結される。
【手続補正５】
【補正対象書類名】明細書
【補正対象項目名】００５１
【補正方法】変更
【補正の内容】
【００５１】
上述したように、ノズル１３００は、主空気流が本体１１００を出ていく空気ベント１１１５の上方で主本体部分１１２０の上端上に取り付けられている。ノズル１３００は、主本体部分１１２０の上端に連結し、本体１１００から主空気流を受け入れるための空気入口１３４０を提供する開放した下端を有するネック／ベース１３５０を含む。ノズル１３００のベース１３５０の外面は、次いで、主本体部分１１２０の上側環状フランジ１１２２の外縁と実質的に面一である。ベース１３５０は、したがって、主本体部分１１２０の上面１１２１上に設けられているファン組立体１０００の任意の構成要素を覆う／包囲するハウジングを含む。
【手続補正６】
【補正対象書類名】明細書
【補正対象項目名】００６０
【補正方法】変更
【補正の内容】
【００６０】
図４に示されている実施形態では、第１の空気出口１３１０ａ、１３１０ｂの各々は、したがって、対応するヒータ組立体１３９０のフレーム１３９２によって構成されるノズル１３００の内部通路１３３０内に対応する第１の空気流チャンネル１３１２ａ、１３１２ｂを備える。ヒータ組立体１３９０のフレーム１３９２の内縁によって構成される、第１の空気流チャンネル１３１２ａ、１３１２ｂ内への空気入口は、ボア／開口部１５００の中心軸線(X)と実質的に垂直である。１対の第１の空気出口１３１０ａ、１３１０ｂから放出された空気流が、ファン組立体１０００の外側から空気を引き込み、この空気と組み合わさって増幅空気流を形成するために、第１の空気出口１３１０ａ、１３１０ｂは、ノズル１３００によって構成される開口部／ボア１５００の中心軸線(X)と実質的に平行である方向に、すなわち、中心軸線から離れる方に-３０°〜+３０°の角度、好ましくは中心軸線から離れる方に-２０°〜+２０°の角度、より好ましくは中心軸線から離れるに-１０°〜+１０°の角度の角度をなしている方向に、放出される空気流を差し向けるように構成されている。そうするために、各第１の空気出口１３１０ａ、１３１０ｂは、第１の空気出口１３１０ａ、１３１０ｂのダクト１３１１が、ノズル１３００によって構成される開口部／ボア１５００の中心軸線(X)と実質的に垂直であるように構成されている。
【手続補正７】
【補正対象書類名】明細書
【補正対象項目名】００７１
【補正方法】変更
【補正の内容】
【００７１】
上述したように、第１の空気流チャンネル１３１２ａ、１３１２ｂ内への入口、および、第２の空気流チャンネル１３２２の対応する入口部分は、互いに整合しており、ボア／開口部１５００の中心軸線(X)と平行である。その結果、弁部材１４１０ａ、１４１０ｂが、第１の端位置にあるときに第２の空気流チャンネル１３２２を閉鎖し、第２の端位置にあるときに第１の空気流チャンネル１３１２ａ、１３１２ｂを閉鎖するために、弁部材１４１０ａ、１４１０ｂは各々、ボア／開口部１５００の中心軸線(X)と実質的に平行な方向に移動するように構成されている。弁１４００は、したがって、ラック１４４０の回転が、ボア／開口部１５００の中心軸線(X)と実質的に平行な方向への弁部材１４１０ａ、１４１０ｂの移動に変換されるように、構成されている。ラック１４４０の回転をボア／開口部１５００の中心軸線(X)と実質的に平行な方向への弁部材１４１０ａ、１４１０ｂの移動に変換するために、図８に示されている円弧状ラック１４４０は、ボア／開口部１５００の中心軸線(X)と実質的に平行な方向にラック１４４０から突出する１対の面１４４１ａ、１４４１ｂを備え、これらの突出する面１４４１ａ、１４４１ｂの各々は、円弧状ラック１４４０の湾曲を辿るように湾曲しており、ラック１４４０は、１対の面１４４１ａ、１４４１ｂが、ピニオン１４３１がラック１４４０に係合されるときにピニオン１４３１の両側に位置するように構成されている。これらの突出する面１４４１ａ、１４４１ｂの各々は、次いで、ラック１４４０の回転軸線に対して約４５°の角度をなして湾曲面を横切って延び、対応する弁部材１４１０ａ、１４１０ｂから突出するフォロワピン１４１１ａ、１４１１ｂよって係合されるように構成されたカムスロット１４４２ａ、１４４２ｂの形態のリニアカムを備え、カムスロット１４４２ａ、１４４２ｂは、同じ方向に角度付けされた突出する面の両方上に設けられている。
【手続補正８】
【補正対象書類名】明細書
【補正対象項目名】００７４
【補正方法】変更
【補正の内容】
【００７４】
弁部材１４１０ａ、１４１０ｂを第１の端位置から第２の端位置までの任意の位置に移動させるために、主制御回路１１７０は、弁モータ１４３０に、モータにシャフト１４３２を１方向または他方向に回転させ、それによって、シャフト１４３２上に設けられたピニオン１４３１の回転を生じさせる信号を送る。したがって、ピニオン１４３１が円弧状ラック１４４０と係合することにより、ラック１４４０は、シャフト１４３２と同じ方向に回転される。したがって、円弧状ラック１４４０の回転により、ラック１４４０から突出する湾曲面１４４１ａ、１４４１ｂ上に設けられたカムスロット１４４２が、カムスロット内に係合されている対応する弁部材１４１０ａ、１４１０ｂのフォロワピン１４１１に対して移動され、カムスロット１４４２ａ、１４４２ｂの角度が、円弧状ラック１４４０の回転運動を、ボア１５０００の中心軸線(X)と平行な方向への弁部材１４１０ａ、１４１０ｂの直線運動に変換する。特に、円弧状ラック１４４０の回転は、突出する面１４４１ａ、１４４１ｂを同じ方向に回転させる。これに関連して、ラック１４４０から突出する面１４４１ａ、１４４１ｂ上に設けられたカムスロット１４４２ａ、１４４２ｂが同じ方向に角度付けられているときに、同じ方向への湾曲面１４４１ａ、１４４１ｂの回転は、第１の弁部材１４１０ａ、および、第２の１４１０ｂの同じ方向への水平方向運動に変換される。
【手続補正９】
【補正対象書類名】明細書
【補正対象項目名】０１０２
【補正方法】変更
【補正の内容】
【０１０２】
弁部材２４１０を第１の端位置から第２の端位置までの任意の位置に移動させるために、ファン組立体１０００は、主制御回路１１７０からの信号に応答して弁部材２４１０の移動を生じさせるように構成された弁モータ２４３０を備える。図１５に示されているように弁モータ２４３０は、湾曲したまたは円弧状のラック２４４０と係合するピニオン２４３１を回転させるように構成されており、弁モータ２４３０の回転は、ピニオン２４３１とラック２４４０の両方の回転を生じさせ、弁２４００は、ラック２４４０の回転が、弁部材２４１０の移動を生じさせるように、構成されている。
【手続補正１０】
【補正対象書類名】明細書
【補正対象項目名】０１１４
【補正方法】変更
【補正の内容】
【０１１４】
上述された個々のアイテムは、それら自身上で、あるいは、図面に示され、または、明細書に記載された他のアイテムと組み合わされて使用されることができ、互いに同じ文章で、または、互いに同じ図面で言及されているアイテムが、互いと組み合わされて使用される必要がないことが理解されるであろう。さらに、表現「手段」は、所望されるように、アクチュエータ、または、システム、または、装置(device)に置き換えることができる。さらに、「含む(comprising)」または「からなる(consisting)」に対するいかなる言及も、いかなる仕方でも制限的であることを意図せず、読者は、明細書および特許請求の範囲をそれにしたがって解釈すべきである。
【手続補正１１】
【補正対象書類名】明細書
【補正対象項目名】０１２０
【補正方法】変更
【補正の内容】
【０１２０】
１０００    ファン組立体
１３００    ノズル
１３１０    第１の空気出口
１３２０    第２の空気出口
１４００    弁
１５００    ボア
２３００    ノズル
２３１０    第１の空気出口
２３２０    第２の空気出口
２４００    弁
２５００    ボア